(57)【要約】【課題】光学回折の限界近傍の記録マークを含む複数の記録マークを良好に形成する。【解決手段】情報の記録及び再生を行う光ディスク装置１は、あらかじめ設定された記録条件を変更する基準となる記録マーク長が短くなるように記録パルスを変化させ、かつ、記録パワーを増加させるように記録条件を変更する条件変更手段４と、変更された複数の記録条件によって記録されたそれぞれの情報の再生信号の品質を計測する再生信号品質計測部２８と、計測した複数の再生信号の品質に基づいて、複数の変更した記録条件のうち、再生信号の品質が最も良い記録条件を選択する記録条件選択手段とを有する。【選択図】図１
2008034042.tif 000002
【特許請求の範囲】
【請求項１】
設定された記録条件に応じて情報記録媒体上にパルス変調を行ったレーザ光を照射して情報の記録を行うとともに記録された情報の再生を行う情報記録再生装置において、
あらかじめ設定された記録条件を変更する基準となる記録マーク長が短くなるように記録パルスを変化させ、かつ、記録パワーを増加させるように記録条件を変更する条件変更手段と、
上記条件変更手段により変更された複数の記録条件によって記録されたそれぞれの情報の再生信号の品質を計測する再生信号品質計測手段と、
上記再生信号品質計測手段が計測した複数の再生信号の品質に基づいて、前記複数の変更した記録条件のうち、再生信号の品質が最も良い記録条件を選択する記録条件選択手段とを有することを特徴とする情報記録再生装置。
【請求項２】
前記条件変更手段は、
記録条件を設定する記録条件設定手段と、
上記記録条件設定手段が設定した記録条件を変更する基準となる記録マーク長の設定を行うマーク長条件設定手段と、
上記マーク長条件設定手段が設定した記録マーク長が短くなるように記録パルスを変化させ、かつ、記録パワーを増加させるための複数の記録条件が格納された記録条件テーブルを作成する記録条件テーブル作成手段と、
上記記録条件テーブルの中の上記複数の記録条件を読み出して上記記録条件設定手段に出力する記録条件読み出し手段とを有することを特徴とする請求項１に記載の情報記録再生装置。
【請求項３】
１つの記録マークの記録が単一の記録パルスを用いて行われる場合に、
前記記録条件テーブルに格納された記録条件は、単一の記録パルスにおける終了位置の時点を、記録しようとする記録マークにおける始端の時点に近づけることで、前記マーク長条件設定手段が設定した記録マーク長が短くなるように記録パルスを変化させるための記録条件であることを特徴とする請求項２に記載の情報記録再生装置。
【請求項４】
１つの記録マークの記録が単一の記録パルスを用いて行われる場合に、
前記記録条件テーブルに格納された記録条件は、単一の記録パルスにおける開始位置の時点を、記録しようとする記録マークにおける終端の時点に近づけることで、前記マーク長条件設定手段が設定した記録マーク長が短くなるように記録パルスを変化させるための記録条件であることを特徴とする請求項２に記載の情報記録再生装置。
【請求項５】
前記記録条件テーブルに格納された記録条件は、変更される記録パルスのパルス幅が、あらかじめ設定された記録パルスのパルス幅よりも大きくならないように、更に上記記録パルスの開始位置の時点を変化させるための記録条件であることを特徴とする請求項３に記載の情報記録再生装置。
【請求項６】
前記記録条件テーブルに格納された記録条件は、変更される記録パルスのパルス幅が、あらかじめ設定された記録パルスのパルス幅よりも大きくならないように、更に上記記録パルスの終了位置の時点を変化させるための記録条件であることを特徴とする請求項４に記載の情報記録再生装置。
【請求項７】
前記マーク長条件設定手段が、単一の記録パルスを用いて形成する記録マークの記録マーク長のうち、最短の記録マーク長を、記録条件を変更する基準となる記録マーク長として設定することを特徴とする請求項３〜６のいずれか１項に記載の情報記録再生装置。
【請求項８】
１つの記録マークの記録が複数の記録パルスを用いて行われる場合に、
前記記録条件テーブルに格納された記録条件は、複数の記録パルスのうち、最後の記録パルスの終了位置の時点を記録しようとする記録マークの始端の時点に近づけることで前記マーク長条件設定手段が設定した記録マーク長が短くなるように記録パルスを変化させるための記録条件であることを特徴とする請求項２に記載の情報記録再生装置。
【請求項９】
１つの記録マークの記録が複数の記録パルスを用いて行われる場合に、
前記記録条件テーブルに格納された記録条件は、複数の記録パルスのうち、最初の記録パルスの開始位置の時点を記録しようとする記録マークの終端の時点に近づけることで前記マーク長条件設定手段が設定した記録マーク長が短くなるように記録パルスを変化させるための記録条件であることを特徴とする請求項２に記載の情報記録再生装置。
【請求項１０】
１つの記録マークの記録が複数の記録パルスを用いて行われる場合に、
前記記録条件テーブルに格納された記録条件は、複数の記録パルスのうち、最後の記録パルスの終了位置の時点を記録しようとする記録マークの始端の時点に近づけ、かつ、最初の記録パルスの開始位置の時点を記録しようとする記録マークの終端の時点に近づけることで前記マーク長条件設定手段が設定した記録マーク長が短くなるように記録パルスを変化させ、さらに、上記最後の記録パルスの記録パワーと上記最初の記録パルスの記録パワーと増加させるため記録条件であることを特徴とする請求項２に記載の情報記録再生装置。
【請求項１１】
前記記録条件テーブルに格納された記録条件は、変更する最後の記録パルスのパルス幅が、あらかじめ設定された最後の記録パルスのパルス幅よりも大きくならないように、更に上記最後の記録パルスの開始位置の時点を変化させるための記録条件であることを特徴とする請求項８又は１０に記載の情報記録再生装置。
【請求項１２】
前記記録条件テーブルに格納された記録条件は、変更する最初の記録パルスのパルス幅が、あらかじめ設定された最初の記録パルスのパルス幅よりも大きくならないように、更に上記最初の記録パルスの終了位置の時点を変化させるための記録条件であることを特徴とする請求項９又は１０に記載の情報記録再生装置。
【請求項１３】
前記マーク長条件設定手段は、複数の記録パルスを用いて形成する記録マークの記録マーク長のうち、最短の記録マークを、記録マーク長として設定することを特徴とする請求項８〜１２のいずれか１項に記載の情報記録再生装置。
【請求項１４】
前記マーク長条件設定手段が、記録マーク長を短いほうから変化させ、前記記録条件選択手段が、前記再生信号の品質が所定の性能を満たす記録条件を満足した時点で、記録条件を選択する処理を終了することを特徴とする請求項２〜１３のいずれか１項に記載の情報記録再生装置。
【請求項１５】
記録条件を保存する記録条件保存手段をさらに備え、
前記記録条件選択手段が、前記マーク長条件設定手段により設定される記録マーク長における、最も良い再生信号の品質が得られる記録条件を選択し、その記録条件で得られる再生信号の品質が、上記記録条件保存手段に保存された記録条件で得られる再生信号の品質よりも改善されなかった場合に、記録条件を選択する処理を終了することを特徴とする請求項１４に記載の情報記録再生装置。
【請求項１６】
設定された記録条件に応じて情報記録媒体上にパルス変調を行ったレーザ光を照射して情報の記録を行うとともに記録された情報の再生を行う情報記録再生装置の記録条件設定方法において、
あらかじめ設定された記録条件を変更する基準となる記録マーク長が短くなるように記録パルスを変化させ、かつ、記録パワーを増加させるように記録条件を変更するステップと、
上記変更するステップにより変更された複数の記録条件によって記録されたそれぞれの情報の再生信号の品質を計測するステップと、
上記計測するステップにより計測された複数の再生信号の品質に基づいて、前記複数の変更した記録条件のうち、再生信号の品質が最も良い記録条件を選択するステップとを有することを特徴とする情報記録再生装置の記録条件設定方法。
【請求項１７】
請求項１〜１５のいずれか１項に記載の情報記録再生装置を動作させる制御プログラムであって、コンピュータを前記各手段として機能させることを特徴とする制御プログラム。
【請求項１８】
請求項１７に記載の制御プログラムを含むことを特徴とするコンピュータ読み取り可能な記録媒体。
【発明の詳細な説明】
【技術分野】
【０００１】
本発明は、記録マークを良好に形成するための記録条件の設定に関する情報記録再生装置、記録条件設定方法、制御プログラム、及びコンピュータ読み取り可能な記録媒体に関し、特に光学回折の限界近傍の記録マークを含む複数の記録マークを良好に形成するための記録条件の設定に関する情報記録再生装置、記録条件設定方法、制御プログラム、及びコンピュータ読み取り可能な記録媒体に関する。
【背景技術】
【０００２】
近年、デジタルデータを記録するための情報記録媒体として、赤色半導体レーザを光源として用いる、コンパクトディスクやデジタルビデオディスクに代表される光ディスクが広く利用されている。光ディスクには、データの追記や書き換えができないタイプである読み出し専用型光ディスクと、データの追記はできるが書き換えができないタイプである追記型光ディスクと、データの書き換えが可能なタイプである書き換え型光ディスクとが存在する。また、青紫色半導体レーザを光源として用いるコンパクトディスクやデジタルビデオディスクよりも大容量の光ディスクが存在する。
【０００３】
光ディスクに情報を記録する際には、情報記録用光ディスク装置によって記録用レーザ光を光ディスクの情報記録面に集光する。これにより光ディスクの情報記録面の温度が上昇するため光ディスクの物理的特性に変化が生じて、記録マークが光ディスクの情報記録面上に形成される。
【０００４】
こうして、記録マークが形成された状態（以下、「マーク」と呼ぶ）と記録マークが形成されていない状態（以下、「スペース」と呼ぶ）との２つの状態、及びこれら２つの状態の長さを基準として、光ディスクの情報記録面上には２値のデジタルデータが記録される。
【０００５】
光ディスクから情報を再生する際には、情報再生用光ディスク装置によって再生用レーザ光を光ディスクの情報記録面に集光し、記録マークによって変調された反射光を検出して情報の再生が行われる。このため、光ディスクは、同じ規格の光ディスクを再生する光ディスク装置であれば、記録を行った光ディスク装置とは異なる装置でも記録情報の再生が可能である。
【０００６】
一般に、記録マークは、記録及び再生を行なう際に基準となる時間であるチャネルクロックの周期をＴとして、Ｔの整数倍の長さに形成される。各記録マークは、例えば、後に詳細を説明する（１,７）ＲＬＬ（Run Length Limited code）変調方式では、２Ｔから８Ｔまでの離散的な長さの記録マークの何れかが形成される。
【０００７】
例えば、青紫色半導体レーザを光源として用いる光ディスクであるブルーレイディスクの１倍速では、チャネルクロックの周期Ｔは、１５．１５ｎｓと短い。さらに、より高速な２倍速以上では、チャネルクロックの周期Ｔは、１倍速に比べて半分以下になり、さらに短くなる。
【０００８】
記録マーク長は、光ディスクに使用する色素、金属、及びトラックピッチなどを含むディスクの構成や、線速度などの様々な条件によって変化する。このため、記録マーク長を高精度に制御するためには、光ディスクに照射するレーザ光のパルス強度、パルス形状及びパルス幅（以下、これらをまとめて記録ストラテジと呼ぶ）を含む記録条件を、ディスクの構成や線速度に応じて適切に設定する必要がある。
【０００９】
ここで、図２０及び２１に基づいて記録マークを形成する際のレーザ出力の波形例について説明する。図２０は、光ディスクにそれぞれの長さの記録マークを形成する際の単一の記録パルスで構成された一般的なレーザ出力の波形例を示す波形図である。
【００１０】
図２０に示すように、レーザ出力の波形例では記録マークを形成するための記録パワーＰｗによるパルス（以下、「記録パルス」と呼ぶ）を示す部分が１つ存在する。その直後には、記録パルスの余熱を制御するための、冷却パワーＰｃによるパルス（以下、「冷却パルス」と呼ぶ）を示す部分が存在する。さらにその後には、パルスが照射されない状態であるスペースパワーＰｓを示す部分が存在する。図２０の例では、冷却パルスのパルス幅は、常に一定となっているが、２Ｔから８Ｔへと記録マーク長が大きくなるに従って、記録パルスのパルス幅は、大きくなっている。
【００１１】
つぎに、図２１に基づいて記録ストラテジの各パラメータについて説明する。図２１は２Ｔの長さの記録マークを形成するための、単一の記録パルスで構成された一般的なレーザ出力波形の一例を示す波形図である。図２１では、記録ストラテジの各パラメータを説明するために、図２０におけるそれぞれの長さの記録マークを形成する際の波形のうち、２Ｔマークを形成するための出力波形を例示している。
【００１２】
光ディスク装置では、光ディスクの記録に先立って、図２１に示すように、記録パルスの立ち上がり時間ｄＴｓ、記録パルスの立ち下がり時間ｄＴｅ、及び冷却パルスの立ち下がり時間ｄＴｃなどを、記録ストラテジのパラメータとして設定する。
【００１３】
ここで、記録しようとする記録マークの始端の時点から記録パルスの開始位置の時点までの時間を記録パルス立ち上がり時間と定義しｄＴｓとした。同様にして、記録しようとする記録マークの終端の時点から記録パルスの終了位置の時点までの時間を記録パルスの立ち下がり時間と定義し、ｄＴｅとする。なお、ここでは、記録マークの終端の時点から２Ｔ（この値は２Ｔでなくても良い）だけ進んだ時点から、冷却パルスの終了位置の時点までの時間を、冷却パルスの立ち下がり時間と定義し、ｄＴｃとしている。
【００１４】
これらのパラメータのうち、記録マークの形成の良し悪しに強い影響を与えるパラメータは、記録媒体の種類によって異なる。そのような例として記録パルスの立ち上がり時間ｄＴｓや、記録パルスの立ち下がり時間ｄＴｅ、冷却パルスの立ち下がり時間ｄＴｃの影響がより大きい記録媒体、あるいは、それらのパラメータが複合し影響する記録媒体等が知られている。
【００１５】
ここで、図２２に基づいて、記録パルスの熱による熱干渉について説明する。図２２は前後の記録パルスの熱による、記録マークの開始位置又は終了位置に誤差が生じる熱干渉を表す概略図である。
【００１６】
まず、冷却パルスは、書き込み対象の記録マークを形成するための記録パルスの熱と、次の記録マークを形成するための記録パルスの熱とを遮断する役割を果たす。このため、もし、十分な幅の冷却パルスを確保できていない場合、図２２の（ｂ）の部分の記録マークの列において示されているように熱干渉を引き起こしてしまう。ここで、熱干渉とは、記録マークを形成する場合において、記録マークの始端部分の方または記録マークの終端部分の方からの熱の影響によって、記録マークの開始位置又は終了位置に誤差が生じてしまう現象である。
【００１７】
例えば、図２２の（ａ）の部分の記録マークの列は、記録ストラテジ１で、２Ｔマーク、３Ｔスペース、及び２Ｔマークの順で記録を行った場合を示している。この場合、前後の２Ｔマークの間に３Ｔスペースが存在するので、熱干渉の影響はなく正しい位置にマークが形成されている。
【００１８】
一方、図２２の（ｂ）の部分の記録マークの列は、記録ストラテジ２で、２Ｔマーク、２Ｔスペース、及び３Ｔマークの順で記録を行った場合を示している。この場合、２Ｔマークと３Ｔマークとの間に２Ｔスペースが存在するので、熱干渉の影響を受けて正しい位置にマークが形成されていない。
【００１９】
また、光ディスクへの記録スピードが高速になるにしたがって、冷却パルスのパルス幅の時間的長さが短くなるため、熱干渉の影響がより顕著になる。すなわち、従来は、熱干渉によって、書き込み対象である記録マークの開始位置が記録マークの始端部分よりも前方になった状態や、記録マークの終了位置が記録マークの終端部分よりも後方になった状態で、記録マークが形成され、ジッタの悪化につながるという問題点があった。
【００２０】
さらに、記録マークを形成する場合においては、レーザ光の照射時間によって、熱蓄積が生じて、照射時間以上に記録マークが広がるという問題点もある。また、記録マーク長によって、熱蓄積の度合いが異なっているため、記録マーク長ごとに、熱蓄積の影響を考慮して、記録パルスの制御を行わなければならないという問題点もある。
【００２１】
このような問題点に対する従来の解決方法として、特許文献１には、レーザ光と情報記録媒体との相対速度に応じて冷却パルスのパルス幅を変化させて、余熱を制御する十分な冷却パルスのパルス幅を確保する方法が開示されている。この方法では、同じ光ディスクを用いる場合、良好な再生信号品質を得られるように、記録時の線速度が大きくなるほど長い冷却パルスのパルス幅を設定し、余熱を制御するのに十分な冷却パルスのパルス幅を確保している。
【００２２】
また、特許文献２には、記録マーク長が長いほど、レーザ光の照射時間が長くなり、余分な熱量が与えられやすく、記録マークが広がりやすいため、記録マーク長が長くなるほど、ラストパルスのパルス幅を狭くして、記録マーク長に応じて記録マークの形成に必要な熱量が与えられるようにする方法が開示されている。
【特許文献１】特開平１０−３６６４号公報（平成１０年０１月０６日公開）
【特許文献２】特開２００５−７１３９６号公報（２００５年０３月１７日公開）
【発明の開示】
【発明が解決しようとする課題】
【００２３】
しかしながら、特許文献１に開示された方法では、冷却パルスのパルス幅を大きくすると、同時に記録パルスのパルス幅も小さくなるので、記録マークを正しい位置に形成させることができなくなるという問題点がある。ここで、図２３及び２４に基づいてこの問題点について詳細に説明する。
【００２４】
図２３は、記録パルスのパルス幅が不足していることにより正しい記録マークを形成することができていない２Ｔの記録マーク長の記録マークの場合における状態を示す概略図である。また、図２４は、記録パルス幅が不足していることにより正しく記録マークを形成することができていない３Ｔの長さの記録マークの場合における状態を示す概略図である。
【００２５】
例えば、冷却パルスのパルス幅を大きくするために、図２３の（ａ）の部分に示すように、記録ストラテジ３で、図２２の（ａ）の部分の状態から２Ｔの記録パルスの終了位置を２Ｔマークの始端部分の方へ動かすと、２Ｔマークの終端部分が短く形成されてしまうという問題点を生じる。なお、冷却パルスのパルス幅を大きくするために、図２３の（ｂ）の部分に示すように、記録ストラテジ４で、図２２の（ｂ）の部分の状態から２Ｔの記録パルスの終了位置を２Ｔマークの始端部分の方へ動かした場合には、２Ｔマークの終端部分は正しい位置に形成されている。
【００２６】
一方、例えば、図２４に示すように、冷却パルスのパルス幅を大きくするために、記録ストラテジ５で、図２２の（ａ）の部分の状態から３Ｔの記録パルスの開始位置を３Ｔマークの終端部分の方へ動かすと、３Ｔマークの始端部分が短く形成されてしまうという問題点を生じる。なお、冷却パルスのパルス幅を大きくするために、記録ストラテジ６で、図２２の（ｂ）の部分の状態から３Ｔの記録パルスの開始位置を３Ｔマークの終端部分の方へ動かした場合には、３Ｔマークの始端部分は正しい位置に形成されている。
【００２７】
また、特許文献２に開示された方法では、記録マーク長が短いほど、冷却パルスのパルス幅の設定可能な最大値が小さくなり、記録マークが熱干渉の影響を受けやすくなるという問題点がある。ここで、図２５に基づいてこのような問題点について説明する。
【００２８】
図２５は記録マーク長と記録パルスの立ち下がり時間との関係を表す図である。例えば、図２５に示すように、記録マーク列Ｂの２Ｔマークの記録ストラテジ８における記録パルスの立ち下がり時間Ｔｗｅ２よりも、記録マーク列Ａの８Ｔマークの記録ストラテジ７における記録パルスの立ち下がり時間Ｔｗｅ８の方が、大きくなっている。
【００２９】
この場合、記録マーク列Ａの８Ｔマークの記録ストラテジ７におけるクーリング期間Ｔｃ８より、記録マーク列Ｂの２Ｔマークの記録ストラテジ７におけるクーリング期間Ｔｃ２の方が小さくなる。つまり、記録マーク長が短いほど、冷却パルスのパルス幅の設定可能な最大値が小さくなり、記録マークが熱干渉の影響を受けやすくなるという問題点を生じる。
【００３０】
本発明は、上記従来の問題点に鑑みなされたものであって、その目的は、光学回折の限界近傍の記録マークを含む複数の記録マークを良好に形成するための記録条件の設定に関する情報記録再生装置、記録条件設定方法、制御プログラム、及びコンピュータ読み取り可能な記録媒体を提供することにある。
【課題を解決するための手段】
【００３１】
本発明の情報記録再生装置は、設定された記録条件に応じて情報記録媒体上にパルス変調を行ったレーザ光を照射して情報の記録を行うとともに記録された情報の再生を行う情報記録再生装置において、あらかじめ設定された記録条件を変更する基準となる記録マーク長が短くなるように記録パルスを変化させ、かつ、記録パワーを増加させるように記録条件を変更する条件変更手段と、上記条件変更手段により変更された複数の記録条件によって記録されたそれぞれの情報の再生信号の品質を計測する再生信号品質計測手段と、上記再生信号品質計測手段が計測した複数の再生信号の品質に基づいて、前記複数の変更した記録条件のうち、再生信号の品質が最も良い記録条件を選択する記録条件選択手段とを有することを特徴としている。
【００３２】
上記構成によれば、条件変更手段が、記録マーク長が短くなるように記録パルスを変化させ、かつ、記録パワーを増加させることができるように記録条件を変更する。また、再生信号品質計測手段が、再生された情報の再生信号の品質を計測し、記録条件選択手段が、再生信号品質が最も良い記録条件を選択する。
【００３３】
したがって、記録マーク長が短くなるように記録パルスを変化させることによって、書き込み対象である記録マークの始端部分又は終端部分のうち少なくとも１つを、熱干渉の影響を少なくして形成することが可能であり、かつ、記録パワーを増加させることによって、良好な記録マークを形成することが可能となり、くわえて、良好な再生信号の品質を得られる記録条件を見つけることができる。
【００３４】
さらに、上述したように、記録マーク長が短くなるように記録パルスを変化させ、かつ、記録パワーも増加させるので、記録パルス幅の不足分を記録パワーで補うことができ、記録マークを熱干渉の影響を少なく、かつ正しく形成させることができる。
【００３５】
したがって、光学回折の限界近傍の記録マークを含む複数の記録マークを良好に形成するための記録条件設定方法を用いた情報記録再生装置を提供することができる。
【００３６】
なお、「記録マーク」とは、記録用レーザ光を光ディスクの情報記録面に集光させることにより情報記録面の温度が上昇し、光ディスクの物理的特性に変化が生じて光ディスクの情報記録面上に形成されたマークのことである。また、「記録マーク長」とは、上記記録マークの長さのことである。
【００３７】
さらに、「記録条件」とは、光ディスクに照射するレーザ光のパルス光のパルス強度、パルス形状及びパルス幅（以下、これらをまとめて記録ストラテジと呼ぶ）などを含む概念である。
【００３８】
くわえて、「記録マーク長が短くなるように記録パルスを変化させる」とは、例えば、熱を冷却する冷却パルスなどを照射させること等により実現できる。なお、下記で説明するように、このような手段は冷却パルスなどの照射に限られず様々な手段を用いることができる。
【００３９】
以下、上記と同様の説明は原則として省略する。
【００４０】
また、本発明の情報記録再生装置は、上記構成にくわえて、前記条件変更手段は、記録条件を設定する記録条件設定手段と、上記記録条件設定手段が設定した記録条件を変更する基準となる記録マーク長の設定を行うマーク長条件設定手段と、上記マーク長条件設定手段が設定した記録マーク長が短くなるように記録パルスを変化させ、かつ、記録パワーを増加させるための複数の記録条件が格納された記録条件テーブルを作成する記録条件テーブル作成手段と、上記記録条件テーブルの中の上記複数の記録条件を読み出して上記記録条件設定手段に出力する記録条件読み出し手段とを有することが好ましい。
【００４１】
上記構成によれば、記録条件設定手段は情報記録再生装置の記録条件を設定する。また、マーク長条件設定手段によって試し書きの基準となる記録マーク長が設定される。また、記録条件テーブル作成手段により、マーク長条件設定手段が設定した記録マーク長が短くなるように記録パルスを変化させ、かつ、記録パワーを増加させるための複数の記録条件が格納された記録条件テーブルが作成される。さらに、記録条件読み出し手段は、記録条件テーブルの中の複数の記録条件を読み出して記録条件設定手段に出力する。
【００４２】
したがって、記録条件テーブルを用いるという簡易な手段によって、光学回折の限界近傍の記録マークを含む複数の記録マークを良好に形成するための記録条件設定方法を用いた情報記録再生装置を提供することができる。
【００４３】
また、本発明の情報記録再生装置は、上記構成にくわえて、１つの記録マークの記録が単一の記録パルスを用いて行われる場合に、前記記録条件テーブルに格納された記録条件は、単一の記録パルスにおける終了位置の時点を、記録しようとする記録マークにおける始端の時点に近づけることで、前記マーク長条件設定手段が設定した記録マーク長が短くなるように記録パルスを変化させるための記録条件であることが好ましい。
【００４４】
上記構成によれば、単一の記録パルスの終了位置の時点を記録しようとする記録マークにおける始端の時点に近づけ、かつ、上記記録パルスの記録パワーを増加させる記録条件を用いる。
【００４５】
それゆえ、単一の記録パルスからなる記録ストラテジを用いた場合、記録マーク長が短くなるように変化させるパルス（例えば、冷却パルスなど）のパルス幅を大きくすることによって、書き込み対象である記録マークの終端部分を、熱干渉の影響を少なくして形成することが可能であり、記録パワーを増加させることによって、良好な記録マークを形成することが可能となり、良好な再生信号品質を得られる記録条件を見つけることができる。
【００４６】
また、本発明の情報記録再生装置は、上記構成にくわえて、１つの記録マークの記録が単一の記録パルスを用いて行われる場合に、前記記録条件テーブルに格納された記録条件は、単一の記録パルスにおける開始位置の時点を、記録しようとする記録マークにおける終端の時点に近づけることで、前記マーク長条件設定手段が設定した記録マーク長が短くなるように記録パルスを変化させるための記録条件であることが好ましい。
【００４７】
上記構成によれば、単一の記録パルスの開始位置の時点を記録しようとする記録マークにおける終端の時点に近づけ、かつ、上記記録パルスの記録パワーを増加させることができる。
【００４８】
それゆえ、単一の記録パルスからなる記録ストラテジを用いた場合、単一の記録パルスにおける開始位置の時点を、記録しようとする記録マークにおける終端の時点に近づけることによって、書き込み対象である記録マークの始端部分を、熱干渉の影響を少なくして形成することが可能であり、かつ、記録パワーを増加させることによって、良好な記録マークを形成することが可能となり、良好な再生信号品質を得られる記録条件を見つけることができる。
【００４９】
さらに、上述したように、単一の記録パルスにおける開始位置の時点を、記録しようとする記録マークにおける終端の時点に近づけ、かつ、記録パワーも増加させるので、記録パルス幅の不足分を記録パワーで補うことができ、記録マークを熱干渉の影響を少なくし、かつ正しく形成することができる。
【００５０】
また、本発明の情報記録再生装置は、上記構成にくわえて、前記記録条件テーブルに格納された記録条件は、変更される記録パルスのパルス幅が、あらかじめ設定された記録パルスのパルス幅よりも大きくならないように、更に上記記録パルスの開始位置の時点を変化させるための記録条件であることが好ましい。
【００５１】
上記構成によれば、記録手段の記録パルスの幅が、あらかじめ設定された記録パルスの幅よりも大きくならないように、更に記録パルスの立ち上がり時間を変化させることができる。
【００５２】
それゆえ、単一の記録パルスからなる記録ストラテジを用いた場合、書き込み対象である記録マークの始端部分を、熱干渉の影響を少なくして形成することが可能であり、さらに記録マークの始端部分の微調整を行うことで、良好な再生信号品質を得られる記録条件を見つけることができる。
【００５３】
また、本発明の情報記録再生装置は、上記構成にくわえて、前記記録条件テーブルに格納された記録条件は、変更される記録パルスのパルス幅が、あらかじめ設定された記録パルスのパルス幅よりも大きくならないように、更に上記記録パルスの終了位置の時点を変化させるための記録条件であることが好ましい。
【００５４】
上記構成によれば、記録手段の記録パルスの幅が、あらかじめ設定された記録パルスの幅よりも大きくならないように、更に記録パルスの終了位置の時点を変化させることができる。
【００５５】
それゆえ、単一の記録パルスからなる記録ストラテジを用いた場合、書き込み対象である記録マークの終端部分を、熱干渉の影響を少なくして形成することが可能であり、さらに記録マークの終端部分の微調整を行うことで、良好な再生信号品質を得られる記録条件を見つけることができる。
【００５６】
また、本発明の情報記録再生装置は、上記構成にくわえて、前記マーク長条件設定手段が、単一の記録パルスを用いて形成する記録マークの記録マーク長のうち、最短の記録マーク長を、記録条件を変更する基準となる記録マーク長として設定することが好ましい。
【００５７】
上記構成によれば、単一の記録パルスを用いて形成する記録マークの記録マーク長のうち、最短の記録マークを、記録条件を変更する記録マーク長の記録マークとして設定することができる。
【００５８】
それゆえ、単一の記録パルスを用いて形成する記録マークのうち、熱干渉の影響が最も大きい、最短の記録マークに対する記録ストラテジを設定することができ、良好な再生信号品質を得ることができる。
【００５９】
また、本発明の情報記録再生装置は、上記構成にくわえて、１つの記録マークの記録が複数の記録パルスを用いて行われる場合に、前記記録条件テーブルに格納された記録条件は、複数の記録パルスのうち、最後の記録パルスの終了位置の時点を記録しようとする記録マークの始端の時点に近づけることで前記マーク長条件設定手段が設定した記録マーク長が短くなるように記録パルスを変化させるための記録条件であることが好ましい。
【００６０】
上記構成によれば、記録条件を変更する記録マークを複数の記録パルスを用いて形成させ、記録条件テーブル作成手段が、複数の記録パルスのうち、最後の記録パルスの終了位置の時点を記録マークの始端の時点に近づけ、かつ、最後の記録パルスの記録パワーを増加させることできる。
【００６１】
それゆえ、複数の記録パルスからなる記録ストラテジを用いた場合、記録マーク長が短くなるように記録パルスを変化させることによって、書き込み対象である記録マークの終端部分を、熱干渉の影響を少なくして形成することが可能であり、かつ、記録パワーを増加させることによって、良好な記録マークを形成することが可能となり、良好な再生信号品質を得られる記録条件を見つけることができる。
【００６２】
なお、ここで、記録パルスは、始端部分の最初の記録パルス、終端部分の最後の記録パルス、残りの中間部のマルチパルス部で構成される。すなわち、「最初の記録パルス」とは、記録パルスのうち最初に照射されるパルス変調されたレーザ光によるパルスのことであり、一方、「最後の記録パルス」とは、記録パルスのうち最後に照射されるパルス変調されたレーザ光によるパルスのことである。以下、同様の説明は原則として省略する。
【００６３】
また、本発明の情報記録再生装置は、上記構成にくわえて、１つの記録マークの記録が複数の記録パルスを用いて行われる場合に、前記記録条件テーブルに格納された記録条件は、複数の記録パルスのうち、最初の記録パルスの開始位置の時点を記録しようとする記録マークの終端の時点に近づけることで前記マーク長条件設定手段が設定した記録マーク長が短くなるように記録パルスを変化させるための記録条件であることが好ましい。
【００６４】
上記構成によれば、記録条件を変更する記録マークを複数の記録パルスを用いて形成させ、記録条件テーブル作成手段が、複数の記録パルスのうち、最初の記録パルスの開始位置の時点を記録マークの終端の時点に近づけ、かつ、最初の記録パルスの記録パワーを増加させることできる。
【００６５】
それゆえ、複数の記録パルスからなる記録ストラテジを用いた場合、記録マーク長が短くなるように記録パルスを変化させることによって、書き込み対象である記録マークの始端部分を、熱干渉の影響を少なくして形成することが可能であり、かつ、記録パワーを増加させることによって、良好な記録マークを形成することが可能となり、良好な再生信号品質を得られる記録条件を見つけることができる。
【００６６】
また、本発明の情報記録再生装置は、上記構成にくわえて、１つの記録マークの記録が複数の記録パルスを用いて行われる場合に、前記記録条件テーブルに格納された記録条件は、複数の記録パルスのうち、最後の記録パルスの終了位置の時点を記録しようとする記録マークの始端の時点に近づけ、かつ、最初の記録パルスの開始位置の時点を記録しようとする記録マークの終端の時点に近づけることで前記マーク長条件設定手段が設定した記録マーク長が短くなるように記録パルスを変化させ、さらに、上記最後の記録パルスの記録パワーと上記最初の記録パルスの記録パワーと増加させるため記録条件であることが好ましい。
【００６７】
上記構成によれば、記録マークを複数の記録パルスを用いて形成させ、記録条件テーブル作成手段が、複数の記録パルスのうち、最後の記録パルスの終了位置の時点を、記録しようとする記録マークの始端の時点に近づけ、かつ最初の記録パルスの開始位置の時点を、記録しようとする記録マークの終端の時点に近づけ、かつ、最後の記録パルスの記録パワーと最初の記録パルスの記録パワーとを増加させることができる。
【００６８】
それゆえ、複数の記録パルスからなる記録ストラテジを用いた場合、記録マーク長が短くなるように記録パルスを変化させることによって、書き込み対象である記録マークの始端部分又は終端部分のうち少なくとも１つを、熱干渉の影響を少なくして形成することが可能であり、かつ、記録パワーを増加させることによって、良好な記録マークを形成することが可能となり、良好な再生信号品質を得られる記録条件を見つけることができる。
【００６９】
また、本発明の情報記録再生装置は、上記構成にくわえて、前記記録条件テーブルに格納された記録条件は、変更する最後の記録パルスのパルス幅が、あらかじめ設定された最後の記録パルスのパルス幅よりも大きくならないように、更に上記最後の記録パルスの開始位置の時点を変化させるための記録条件であることが好ましい。
【００７０】
上記構成によれば、最後の記録パルスのパルス幅が、あらかじめ設定された最後の記録パルスのパルス幅よりも大きくならないように、更に最後の記録パルスの終了位置の時点を変化させる。
【００７１】
それゆえ、複数の記録パルスからなる記録ストラテジを用いた場合、書き込み対象である記録マークの終端部分を、熱干渉の影響を少なくして形成することが可能であり、さらに記録マークの終端部分の微調整を行うことで、さらに良好な再生信号品質を得られる記録条件を見つけることができる。
【００７２】
また、本発明の情報記録再生装置は、上記構成にくわえて、前記記録条件テーブルに格納された記録条件は、変更する最初の記録パルスのパルス幅が、あらかじめ設定された最初の記録パルスのパルス幅よりも大きくならないように、更に上記最初の記録パルスの終了位置の時点を変化させるための記録条件であることが好ましい。
【００７３】
上記構成によれば、最初の記録パルスのパルス幅が、あらかじめ設定された最初の記録パルスのパルス幅よりも大きくならないように、更に最初の記録パルスの開始位置の時点を変化させることができる。
【００７４】
それゆえ、複数の記録パルスからなる記録ストラテジを用いた場合、書き込み対象である記録マークの始端部分を、熱干渉の影響を少なくして形成することが可能であり、さらに記録マークの始端部分の微調整を行うことで、さらに良好な再生信号品質を得られる記録条件を見つけることができる。
【００７５】
また、本発明の情報記録再生装置は、上記構成にくわえて、前記マーク長条件設定手段は、複数の記録パルスを用いて形成する記録マークの記録マーク長のうち、最短の記録マークを、記録マーク長として設定することが好ましい。
【００７６】
上記構成によれば、複数の記録パルスを用いて形成する記録マークのうち、熱干渉の影響が最も大きい、最短の記録マークに対する記録ストラテジを設定することができ、良好な再生信号品質を得ることができる。
【００７７】
また、本発明の情報記録再生装置は、上記構成にくわえて、前記マーク長条件設定手段が、記録マーク長を短いほうから変化させ、前記記録条件選択手段が、前記再生信号の品質が所定の性能を満たす記録条件を満足した時点で、記録条件を選択する処理を終了することが好ましい。
【００７８】
上記構成によれば、記録条件テーブルの全ての組み合わせを用いて最良条件を選択する場合と比べて、効率よく、所定の性能を満たす記録条件を見つけることができるため、記録条件の設定に要する時間を短縮できる。
【００７９】
ここで、「所定の性能」の例として、ジッタの他エラーレートなどが考えられるが、このような例に限られず様々な性能を選択することができる。
【００８０】
また、本発明の情報記録再生装置は、上記構成にくわえて、記録条件を保存する記録条件保存手段をさらに備え、前記記録条件選択手段が、前記マーク長条件設定手段により設定される記録マーク長における、最も良い再生信号の品質が得られる記録条件を選択し、その記録条件で得られる再生信号の品質が、上記記録条件保存手段に保存された記録条件で得られる再生信号の品質よりも改善されなかった場合に、記録条件を選択する処理を終了することが好ましい。
【００８１】
上記構成によれば、記録マーク長を変更して記録条件を設定する場合と比べて、記録マーク長が短くなるように変化させるパルス（例えば、冷却パルス）のパルス幅が十分に確保できている場合に処理を終了するので、効率よく、所定の性能を満たす記録条件が記録条件テーブル内に存在するかどうかの判定を行うことができる。
【００８２】
また、本発明の記録条件設定方法は、設定された記録条件に応じて情報記録媒体上にパルス変調を行ったレーザ光を照射して情報の記録を行うとともに記録された情報の再生を行う情報記録再生装置の記録条件設定方法において、あらかじめ設定された記録条件を変更する基準となる記録マーク長が短くなるように記録パルスを変化させ、かつ、記録パワーを増加させるように記録条件を変更するステップと、上記変更するステップにより変更された複数の記録条件によって記録されたそれぞれの情報の再生信号の品質を計測するステップと、上記計測するステップにより計測された複数の再生信号の品質に基づいて、前記複数の変更した記録条件のうち、再生信号の品質が最も良い記録条件を選択するステップとを有することを特徴としている。
【００８３】
上記方法によれば、記録マーク長が短くなる方向に記録パルスを変化させることによって、書き込み対象である記録マークの始端部分又は終端部分のうち少なくとも１つを、熱干渉の影響を少なくして形成することが可能とし、同時に記録パワーを大きくすることによって、良好な記録マークを形成することを可能とし、くわえて、良好な再生信号品質を得られる記録条件を設定することができる。
【００８４】
したがって、記録マークを良好に形成するための記録条件設定方法、特に光学回折の限界近傍の記録マークを含む複数の記録マークを良好に形成するための記録条件設定方法を提供することができる。
【００８５】
なお、上記情報記録再生装置は、コンピュータによって実現してもよく、この場合には、コンピュータを上記各手段として動作させることにより上記情報記録再生装置をコンピュータにて実現させる情報記録再生装置の制御プログラム、およびそれを記録したコンピュータ読み取り可能な記録媒体も、本発明の範疇に入る。
【発明の効果】
【００８６】
本発明の情報記録再生装置は、以上のように、設定された記録条件に応じて情報記録媒体上にパルス変調を行ったレーザ光を照射して情報の記録を行うとともに記録された情報の再生を行う情報記録再生装置において、あらかじめ設定された記録条件を変更する基準となる記録マーク長が短くなるように記録パルスを変化させ、かつ、記録パワーを増加させるように記録条件を変更する条件変更手段と、上記条件変更手段により変更された複数の記録条件によって記録されたそれぞれの情報の再生信号の品質を計測する再生信号品質計測手段と、上記再生信号品質計測手段が計測した複数の再生信号の品質に基づいて、前記複数の変更した記録条件のうち、再生信号の品質が最も良い記録条件を選択する記録条件選択手段とを有しているものである。
【００８７】
それゆえ、光学回折の限界近傍の記録マークを含む複数の記録マークを良好に形成するための記録条件の設定に関する情報記録再生装置を提供するという効果を奏する。
【００８８】
本発明の記録条件設定方法は、以上のように、設定された記録条件に応じて情報記録媒体上にパルス変調を行ったレーザ光を照射して、情報の記録を行うとともに記録された情報の再生を行う情報記録再生装置の記録条件設定方法において、記録条件を設定するステップと、上記記録条件を設定するステップにより設定された記録条件を変更する基準となる記録マーク長の設定を行うステップと、あらかじめ設定された記録条件を変更する基準となる記録マーク長が短くなるように記録パルスを変化させ、かつ、記録パワーを増加させるための複数の記録条件が格納された記録条件テーブルを作成するステップと、上記記録条件テーブルの中の上記複数の記録条件を読み出すステップと、再生された情報の再生信号の品質を計測するステップと、上記計測するステップにより計測した複数の再生信号の品質に基づいて、上記複数の変更した記録条件のうち、再生信号の品質が最も良い記録条件を選択するステップとを備える方法である。
【００８９】
それゆえ、光学回折の限界近傍の記録マークを含む複数の記録マークを良好に形成するための記録条件の設定に関する記録条件設定方法を提供するという効果を奏する。
【発明を実施するための最良の形態】
【００９０】
〔実施の形態１〕
本発明の一実施形態について図１〜１０、２０、及び２１に基づいて説明すれば、以下の通りである。
【００９１】
まず、図２に基づいて本発明の一実施形態である光ディスク装置（情報記録再生装置）１の構成について説明する。図２は、光ディスク装置１の構成を示すブロック図である。光ディスク装置１は、図２に示すように、光ヘッド１１、ピックアップ１２、記録再生回路群１０、制御部２０、及び格納部（記録条件保存手段）３を備えている。
【００９２】
光ヘッド１１は記録用のレーザビームを光ディスク２の記録部位に照射することによって、光ディスク２の情報記録面上のトラックに情報を記録マークとして記録するものである。光ヘッド１１の光源としては、レーザ発光ダイオードなどが好適に用いられるが、これに限られずその他の半導体レーザや、Ｈｅ−Ｎｅレーザなどの非半導体レーザであっても良い。ピックアップ１２は光ヘッド１１を光ディスク２の記録部位へ移動させるものである。
【００９３】
記録再生回路群１０は、ピックアップ駆動回路１３、レーザ駆動回路１４、及び再生回路１５を備える。ピックアップ駆動回路１３は、ピックアップ１２を光ディスク２の記録部位へ移動させるものである。レーザ駆動回路１４は、光ヘッド１１からレーザビームを光ディスク２に照射させるものである。再生回路１５は、光ヘッド１１が検出した反射光を、再生信号に変換して、制御部２０に入力するものである。格納部３は様々なデータを制御部２０とやりとりするものである。
【００９４】
つぎに、図１に基づいて、格納部３、及び制御部２０の構成要素の詳細について説明する。格納部３は一時記憶部３１と記憶部３２とからなる。
【００９５】
制御部２０は、条件変更手段４、記録条件設定部（記録条件設定手段）２１、記録指令部２２、再生指令部２６、記録条件選択部（記録条件選択手段）２７、及び再生信号品質計測部（再生信号品質計測手段）２８を備えている。条件変更手段４は、マーク長条件設定部（マーク長条件設定手段）２３、記録条件テーブル作成部（記録条件テーブル作成手段）２４、及び記録条件読み出し部（記録条件読み出し手段）２５を備えている。
【００９６】
条件変更手段４は、あらかじめ設定された記録条件を変更する基準となる記録マーク長が短くなるように記録パルスを変化させ、かつ、記録パワーを増加させるように制御するものである。ここで、条件変更手段４の各構成要素の詳細について説明する。マーク長条件設定部２３は記録条件を変更する基準となるマーク長条件Ｎを設定するものである。記録条件テーブル作成部２４は、上記マーク長条件Ｎと記録条件の規定値とに基づいて記録条件テーブルを作成するものである。記録条件読み出し部２５は、上記記録条件テーブル内の記録条件を順次、読み出して、記録条件設定部２１に読み出した記録条件を通知するものである。
【００９７】
つぎに、制御部２０の条件変更手段４以外の構成要素について説明する。記録条件設定部２１は、記録再生回路群１０のレーザ駆動回路１４の記録条件を設定するものである。記録指令部２２は、記録再生回路群１０のピックアップ駆動回路１３及びレーザ駆動回路１４に記録指令を出すものである。
【００９８】
再生指令部２６は、記録再生回路群１０のピックアップ駆動回路１３及びレーザ駆動回路１４に再生指令を出すものである。この再生指令により、ピックアップ駆動回路１３は、ピックアップを記録部位に移動させ、レーザ駆動回路１４は光ヘッド１１を駆動して光ディスクの記録部位に再生用のレーザビームを照射させる。再生信号品質計測部２８は入力された再生信号にもとづいて、再生信号品質の評価の基準となる指標値を計測するものである。記録条件選択部２７は、上記指標値に基づき上記記録条件テーブル内の記録条件のうち最も良い記録条件を選択するものである。
【００９９】
つぎに、図２に基づいて光ディスク装置１の動作について説明する。図２に示すように、回転する光ディスク２の情報記録面上の図示しないトラックへ、制御部２０がピックアップ駆動回路１３を介してピックアップ１２を移動させる。
【０１００】
そして、制御部２０がレーザ駆動回路１４に対して記録条件を設定し、レーザ駆動回路１４からレーザ駆動波形が出力される。出力されたレーザ駆動波形に基づいて、光ヘッド１１から記録用のレーザビームを光ディスク２の情報記録面に照射することによって、光ディスク２の情報記録面上に情報が記録マークとして記録される。
【０１０１】
また、光ディスク装置１は、制御部２０がピックアップ駆動回路１３を介してピックアップ１２を光ディスク２の記録部位へ移動させる。そして、制御部２０がレーザ駆動回路１４を介して光ヘッド１１から再生用のレーザビームを光ディスク２に照射する。
【０１０２】
光ヘッド１１が検出した反射光は、再生回路１５において再生信号に変換され、制御部２０に入力される。これにより、光ディスク装置１は、光ディスク２の情報記録面上のトラックに記録された記録マークに基づいて情報を再生する。
【０１０３】
（単一の記録パルスを用いた場合１−１）
つぎに、本実施の形態１における記録条件設定方法の一例について、図１、図３及び図２０に基づいて格納部３及び制御部２０の動作とともに説明する。この記録条件設定方法は、以下で説明するように、図３のステップ１０３で、試し書きを行う記録条件のテーブルを作成し、その作成された記録条件テーブルに基づいて記録条件の設定を行うものである。ここでは、単一の記録パルスからなる記録ストラテジを用いた場合の記録条件設定方法について説明する。
【０１０４】
まず、図２０に基づいて、本記録条件設定方法における記録マークを形成するための、単一のパルスで構成された一般的なレーザ出力波形の一例について説明する。図２０は記録マークを形成するための、単一のパルスで構成された一般的なレーザ出力波形の一例を示す波形図である。
【０１０５】
図２０に示すように、単一の記録パルスからなる記録ストラテジの各パラメータについては２Ｔから８Ｔまでのレーザ出力波形がある。なお、上述したように、一般に、記録マークは、記録及び再生を行なう際に基準となる時間であるチャネルクロックの周期をＴとして、Ｔの整数倍の長さで形成される。したがって、例えば、２Ｔの出力波形とは記録マークを２Ｔのマーク長で形成する場合に対応するレーザ出力波形の意である。
【０１０６】
つぎに、図１及び図３に基づいて本記録条件設定方法における光ディスク装置１の格納部３及び制御部２０の動作について説明する。図１は光ディスク装置１における制御部２０及び格納部３の構成を示すブロック図である。また、図３は本記録条件設定方法の処理の流れを示すフローチャートである。ここで、本記録条件設定方法は、図２に示すように、制御部２０において、再生回路１５より入力される再生信号を用いて、良好な再生信号品質を得られるように、レーザ駆動回路１４の記録条件を設定する方法である。
【０１０７】
まず、ステップ１０１（以下「ステップ」は単に「Ｓ」と記載する。）では、図３に示すように、規定値の記録条件を設定する。具体的には、図１に示すように、光ディスクのメーカーが、上記規定値の記録条件を格納部３の記憶部３２にあらかじめ記憶させておく。すなわち、上記規定値は、例えば、記録対象の光ディスクに適した記録条件として、光ディスクのメーカーによってあらかじめ設定されるものであり、光ディスク装置内の記憶装置に記憶されているか、或いは光ディスクの所定領域に記録されている。本実施の形態では、上述のように、上記規定値が光ディスクのメーカーによってあらかじめ光ディスク装置内の記憶部３２に記憶されている場合について説明する。なお、上記規定値は、記録に用いられる記録パワーを含む、記録ストラテジの各パラメータの規定値である。
【０１０８】
つぎに、Ｓ１０２では、図３に示すように、マーク長条件Ｎを設定する。具体的には、図１に示すように、マーク長条件設定部２３が、記録条件の変更の基準となるマーク長の値であるＮが入力されると、値Ｎを格納部３の一時記憶部３１に格納する。なお、マーク長条件Ｎとは、記録条件を変更する基準となる書き込み対象の記録マーク長である。（１,７）ＲＬＬ(Run Length Limited code)の変調方式を用いた記録ストラテジの場合、マーク長条件Ｎを、単一の記録パルスを用いて形成する記録マークのうち、最短の記録マークである２Ｔを設定する。つまり、マーク長条件Ｎを２とする。
【０１０９】
実際、記録マーク長が短いほど、冷却パルス幅の設定可能な最大値が小さくなり、熱干渉の影響を受けやすくなる。したがって、熱干渉の影響が最も大きい最短マークを設定する。これにより、良好な再生信号品質を得ることができる。なお、マーク長条件の設定が終了した場合には、その終了を、マーク長条件設定部２３が、記録条件テーブル作成部２４に通知する。
【０１１０】
次に、Ｓ１０３に進み、図３に示すように、試し書きを行う記録条件のテーブルを作成する。具体的には、図１に示すように、記録条件テーブル作成部２４が、マーク長条件設定部２３からマーク長条件の設定終了の通知を受けると、格納部３の記憶部３２に格納されている記録条件の規定値と格納部３の一時記憶部３１に格納されている値Ｎとを読み出し、これらの値に基づいて記録条件テーブルを作成するとともに格納部３の一時記憶部３１に格納する。
【０１１１】
つぎに、図３のＳ１０３において作成される記録条件のテーブルについて詳細に説明する。ここでは、記録マークの始端部分又は終端部分を短くする方向に記録パルスを変化させると同時に、記録パワーを大きくする記録条件のテーブルを作成する。なお、以下では、変調方式として（１,７）ＲＬＬ（Run Length Limited code）を採用した場合を例に挙げて説明する。
【０１１２】
ただし、採用される変調方式は、（１,７）ＲＬＬ(Run Length Limited code)の変調方式に限られるものではない。また、ＲＬＬコード(Run Length Limited code)とは、磁気的、光学的デジタル記録において、反転間隔の最小値と最大値とを制限したコードである。
【０１１３】
本記録条件設定方法では、図２の光ディスク２に試し書きをする場合に参照される記録条件テーブルとして、記録パルスの立ち下がり時間ｄＴｅを大きくする方に変化させ（単一の記録パルスにおける終了位置の時点を、記録しようとする記録マークにおける始端の時点に近づけ）、かつ、記録パルスの記録パワーＰｗを増加させる記録条件テーブルを作成する場合とする。
【０１１４】
つぎに、本記録条件テーブルの作成方法について、図４に基づいて、さらに詳しく説明する。図４は、上記記録条件テーブルにおける記録条件の変化の組み合わせ例を示している。上記記録条件テーブルの作成においては、マーク長条件Ｎの値が２なので、マーク長２Ｔの記録マーク（以下、「２Ｔマーク」のように省略する）を形成するための記録ストラテジの各パラメータを用いる。すなわち、上記録条件テーブルの作成においては、２Ｔマークを形成するための記録ストラテジの各パラメータのうち、記録パルスの記録パワーＰｗ、記録パルスの立ち下がり時間ｄＴｅの２種類のパラメータを用いることとする。
【０１１５】
まず、図４に示すように、記録パルスの立ち下がり時間ｄＴｅを図３のＳ１０１で設定した記録条件の規定値を中心として、＋１ステップ〜＋３ステップで、１ステップ刻みで変化させる。ここで、１ステップとは、対象となるパラメータの変化量である。例えば、図２のレーザ駆動回路１４における設定可能な値など、任意に設定することができる。
【０１１６】
ここでは、１ステップを０．２５Ｔとした。つまり、ここで「＋１ステップ」とは、記録パルスの立ち下がり時間ｄＴｅを０．２５Ｔ大きくすることを示している。また、記録パルスの記録パワーＰｗを、例えば、図３のＳ１０１で読み取った記録条件の規定値を基準として、＋５％〜＋１５％の範囲で、５％刻みで変化させる。つまり、図４に示すような条件ａ１１〜ａ３３の９通りの記録条件を有する記録条件テーブルが作成される。なお、図１に示すように、記録条件テーブルの作成が終了した場合には、その終了を、記録条件テーブル作成部２４が、記録条件読み出し部２５に通知する。
【０１１７】
次に、Ｓ１０４に進み、図３に示すように、試し書きを行う際の所定記録パターンにしたがって、上記記録条件テーブルを参照しながら、記録条件を変化させて光ディスクに記録する。具体的には、図１に示すように、記録条件読み出し部２５が、記録条件テーブル作成部２４から記録条件テーブルの作成が終了した通知を受けた後、格納部３の一時記憶部３１に格納されている記録条件テーブルを読み出し、該記録条件テーブル内のすべての記録条件の読み出しが終了するまで、順次、読み出した記録条件を記録条件設定部に通知する。次に、記録条件設定部２１が、上記通知を受けた記録条件に基づいて図２の記録再生回路群１０のレーザ駆動回路１４の記録条件を設定する。また、図１の記録条件設定部２１は、記録条件の設定毎に、記録指令部２２に記録条件の設定が終了したことを通知する。その後、記録指令部２２が、上記通知を受けて、図２の記録再生回路群１０に対して記録指令をだす。さらに、記録再生回路群１０が、上記指令を受けて、ピックアップ駆動回路１３によりピックアップ１２を光ディスク２の記録部位に移動させ、その移動終了後、レーザ駆動回路１４により光ヘッド１１を駆動して記録パルスを照射させて試し書きの記録を行う。
【０１１８】
つぎに、本記録条件設定方法において記録に用いられる所定記録パターンについて詳細に説明する。本記録条件設定方法では、記録に用いられる所定記録パターンとして、上記（１,７）ＲＬＬ(Run Length Limited code)変調方式で変調した後のデータを用いる。例えば、１セクタ毎又は１トラック毎など、基準となりうる記録単位毎に、記録条件を変化させて、所定記録パターンを光ディスク２に記録する。
【０１１９】
本記録条件設定方法では、光ディスクのユーザ領域に１トラック単位で、（１,７）ＲＬＬ（Run Length Limited code）の変調方式における最短マーク長である２Ｔから最長マーク長である８Ｔまでの各マーク長を含むランダムパターンを所定記録パターンとして記録を行う。この際、図１に示すように、光ディスク装置１の格納部３の一時記憶部３１に記憶されている上記記録条件テーブル内の記録条件を参照する。なお、上記試し書きが終了した場合には、その終了を、記録指令部２２が再生指令部２６に通知する。
【０１２０】
次に、図３に示すように、Ｓ１０５に進み、Ｓ１０４で記録した上記所定記録パターンを再生する。具体的には、図１に示すように、再生指令部２６が、記録指令部２２から上記試し書きが終了した通知を受けると、図２の記録再生回路群１０に再生指令を出す。つぎに、図２に示すように、記録再生回路群１０が、上記再生指令を受けて、ピックアップ駆動回路１３によりピックアップ１２を光ディスク２の記録部位に移動させ、その移動終了後、レーザ駆動回路１４により光ヘッド１１を駆動して再生用のレーザビームを照射させて上記試し書きの記録の再生を行う。
【０１２１】
さらに、図３に示すように、Ｓ１０６に進み、Ｓ１０５で得られた再生信号より再生信号品質の指標値を得る。具体的には、図２に示すように、まず、再生回路１５が、上記再生が行われている際に、光ヘッド１１が検出した反射光を、再生信号に変換して、制御部２０に入力する。なお、図１に示すように、上記再生信号は、制御部２０の再生信号品質計測部２８に入力される。このとき、図１に示すように、再生指令部２６は上記再生が行われることを、そのつど再生信号品質計測部２８に通知するとともに、上記再生が終了した場合には、その終了を再生信号品質計測部２８に通知する。つぎに、図１示すように、再生信号品質計測部２８が、再生指令部から上記再生が行われることを通知された後、再生回路１５から上記再生信号を受け取り、該再生信号に基づいて、該再生信号の品質を計測し、該品質の指標値を得る。なお、再生信号品質計測部２８は、上記品質の指標値を得ると、該指標値と対応する記録条件とを格納部３の一時記憶部３１に記憶させる。該指標値として、例えば、ジッタを用いる他に、エラーレートなどを用いることができる。
【０１２２】
次に、図３に示すように、Ｓ１０７に進み、Ｓ１０３で作成した記録条件テーブル内の条件が全て終了したかどうかを判断する。具体的には、図１に示すように、記録条件読み出し部２５が、上記録条件テーブル内のすべての記録条件の読み出しが終了するまで、順次、読み出した記録条件を記録条件設定部２１に通知する。この際、再生信号品質計測部２８は、順次、読み出した記録条件とこれに対応する指標値とを一時記憶部３１に記憶させる。
【０１２３】
ここで、図３に示すように、Ｓ１０７で、記録条件テーブル内の条件が全て終了した場合は、Ｓ１０８に進む。具体的には、図１に示すように、再生信号品質計測部２８が、記録条件読み出し部２５から記録条件の読み出しがすべて終了したことを通知された後、すべての記録条件に対応する指標値の計測が終わり、すべての指標値と対応する記録条件との、一時記憶部３１への記憶が完了すると、その終了を記録条件選択部２７に通知する。このすべての指標値と対応する記録条件とは、すべての指標値と対応する記録条件とによるテーブル（以下、「指標値・記録条件テーブル」と呼ぶ）として記憶される。図６はこの指標値・記録条件テーブルの一例を示す図である。図６では、指標値として、ジッタを用いている。
【０１２４】
Ｓ１０８では、図３に示すように、試し書きした記録条件テーブル内の条件の中から、再生信号品質が最も良好である条件を選択する。具体的には、図１に示すように、記録条件選択部２７が、再生信号品質計測部２８によって格納部３の一時記憶部３１に記憶された、指標値・記録条件テーブルに基づいて試し書きした記録条件テーブル内の条件の中から、再生信号品質が最も良好である条件を選択する。図６に基づいて説明すれば、記録条件ｂ１２に対応する指標値であるジッタが６％のときが、最も良い再生信号品質であるので、この例の場合は、記録条件選択部２７は、記録条件ｂ１２を選択する。
【０１２５】
つづいて、図３に示すように、Ｓ１０９に進み、Ｓ１０８で選択した条件を記録条件として設定する。具体的には、図１に示すように、記録条件選択部２７が、格納部３の記憶部３２に選択した記録条件を記憶させている。なお、選択した記録条件は直接、記録条件設定部２１に通知して図２のレーザ駆動回路１４の記録条件を設定させるようにしても良い。
【０１２６】
一方、Ｓ１０７で、図３に示すように、記録条件テーブル内の条件が全て終了していない場合は、Ｓ１１０に進む。具体的には、上述したように、図１の記録条件読み出し部２５が格納部３の一時記憶部３１に格納されている記録条件テーブルを読み出し、該記録条件テーブル内のすべての記録条件の読み出しが終了するまで、順次、読み出してゆく。
【０１２７】
図３のＳ１１０では、記録条件テーブル内の条件で、まだ試し書きされていない条件を選択する。具体的には、図１に示すように、記録条件読み出し部２５が、順次、記録条件を読み出して、記録条件設定部２１に通知する。
【０１２８】
このような記録条件設定方法によって、書き込み対象の記録マークの１つ後の記録マークに対する記録パルスの熱干渉の影響を少なくして、書き込み対象である記録マークの終端部分を形成することが可能となる。また、良好な再生信号品質を得られる記録条件を見つけることもできる。
【０１２９】
（単一の記録パルスを用いた場合１−２）
つぎに、本実施の形態１における記録条件設定方法の他の一例について説明する。ここでは、単一の記録パルスを用いて記録マークを形成する場合において、記録マークの始端部分を短くする方向に記録パルスを変化させると同時に、記録パワーを大きくする記録条件のテーブルを作成し、これを参照して試し書きを行う場合について説明する。なお、図３のフローチャートにおいて、単一の記録パルスを用いた場合１−１の記録条件設定方法における処理と同等の部分は、説明を省略する。
【０１３０】
本記録条件設定方法では、記録パルスの立ち上がり時間ｄＴｓを大きくする方に変化させ（単一の記録パルスにおける開始位置の時点を、記録しようとする記録マークにおける終端の時点に近づけ）、かつ、記録パルスの記録パワーＰｗを増加させる記録条件とする。
【０１３１】
この場合、図３のＳ１０３では、記録パルスの立ち上がり時間ｄＴｓと記録パルスの記録パワーＰｗとを組み合わせた記録条件テーブルを作成する。例えば、図４の記録条件テーブルの、記録パルスの立ち下がり時間ｄＴｅを記録パルスの立ち上がり時間ｄＴｓに置き換えた、図５に示す条件ｂ１１〜ｂ３３の９通りの記録条件を有する記録条件テーブルが作成される。
【０１３２】
ここで、上記記録条件テーブルを参照して試し書きを行う。これにより、書き込み対象の記録マークの１つ前の記録マークに対する記録パルスの熱干渉の影響を受けずに、書き込み対象である記録マークの始端部分を形成することが可能である。さらに、良好な再生信号品質を得られる記録条件を見つけることもできる。
【０１３３】
したがって、例えば、（１,７）ＲＬＬ（Run Length Limited code）変調方式による変調において、冷却パルス幅が設定可能な最大値が最も小さい２Ｔマークに関する記録ストラテジを本記録条件設定方法で設定することで、熱干渉の影響が最も大きい最短の記録マークに対する記録ストラテジを設定することができる。また、これにより、良好な再生信号品質を得ることができる。
【０１３４】
（複数の記録パルスを用いる場合１−１）
ところで、単一の記録パルスではなく、複数の記録パルスからなる記録ストラテジによって、記録マークを形成する方法も知られている。複数の記録パルスを用いることによって、熱量を均一にすることができ、均一な幅の記録マークを形成することができる。そこで、図８に基づいて、本実施の形態１における記録条件設定方法のさらに他の一例として、複数の記録パルスからなる記録ストラテジを用いた場合の記録条件設定方法について説明する。
【０１３５】
図８は本実施例における記録マークを形成するための、複数の記録パルスで構成された一般的なレーザ出力波形の一例を示す波形図である。なお、図３のフローチャートにおいて、上述した処理と同等の部分は、説明を省略する。
【０１３６】
まず、複数の記録パルスからなる記録ストラテジについて説明する。図８に示すように、複数の記録パルスからなる記録ストラテジは、１つの記録パルスを用いて２Ｔマークの記録を行う。もし、２Ｔより長いマークを記録する場合は、記録マーク長より１小さい数の記録パルスを用いる。例えば、図８では、５Ｔマークを記録する場合、パルス幅が大きいもの及び小さいものなど４つの記録パルスを用いている。
【０１３７】
つぎに、図７に基づいて５Ｔの記録マークの形成するための、複数の記録パルスで構成された一般的なレーザ出力波形の一例を説明する。図７は５Ｔマークの記録ストラテジのみの場合の出力波形を示している。ここで、複数の記録パルスからなる記録ストラテジの各パラメータについて、図７に基づいて説明する。
【０１３８】
記録パルスは、始端部分のファーストパルス（最初の記録パルス）、終端部分のラストパルス（最後の記録パルス）、残りの中間部のマルチパルス部で構成される。ファーストパルスは、ファーストパルスの記録パワーＰｗｆ、ファーストパルスの立ち上がり時間ｄＴｆｓ、ファーストパルスの立ち下がり時間ｄＴｆｅで構成される。一方、ラストパルスは、ラストパルスの記録パワーＰｗｌ、ラストパルスの立ち上がり時間ｄＴｌｓ、ラストパルスの立ち下がり時間ｄＴｌｅで構成される。また、マルチパルス部は、マルチパルス部の記録パワーＰｗｍとパルス幅で構成され、熱量が一定になるようにパラメータが設定される。
【０１３９】
ここで、図７に示すように、記録しようとする記録マークの始端の時点からファーストパルスの開始位置の時点までの時間をファーストパルス立ち上がり時間と定義し、ｄＴｆｓとする。また、記録しようとする記録マークの始端の時点から２Ｔ（この値は２Ｔでなくても良い）だけ進んだ時点から、ファーストパルスの終了位置の時点までの時間をファーストパルス立ち下がり時間と定義し、ｄＴｆｅとする。一方、記録しようとする記録マークの終端の時点からＴ（この値はＴでなくても良い）だけ後退した時点からラストパルスの開始位置の時点までの時間をラストパルス立ち上がり時間とし、ｄＴｌｓとする。また、記録しようとする記録マークの終端の時点からラストパルスの終了位置の時点までの時間をラストパルス立ち下がり時間と定義し、ｄＴｌｅとする。なお、記録しようとする記録マークの終端の時点から２Ｔ（この値は２Ｔでなくても良い）だけ進んだ時点から、冷却パルスの終了位置の時点までの時間を、冷却パルスの立ち下がり時間と定義し、ｄＴｃとする。
【０１４０】
つぎに、図７を用いて、ファーストパルス及びラストパルスに関する各パラメータについてさらに詳しく説明する。まず、ファーストパルスの記録パワーＰｗｆが大きくなると、記録マークの始端部分の熱量が大きくなり、記録マークの開始位置が記録マークの始端部分の方へ移動する。一方、ファーストパルスの記録パワーＰｗｆが小さくなると、記録マークの始端部分の熱量が小さくなり、記録マークの開始位置が記録マークの終端部分の方へ移動する。
【０１４１】
また、ラストパルスの記録パワーＰｗｌが大きくなると、記録マークの終端部分の熱量が大きくなり、記録マークの終了位置が記録マークの終端部分の方へ移動する。一方、ラストパルスの記録パワーＰｗｌが小さくなると、記録マークの終端部分の熱量が小さくなり、記録マークの終了位置が記録マークの始端部分の方へ移動する。
【０１４２】
つぎに、ファーストパルスの立ち上がり時間ｄＴｆｓが小さくなると、ファーストパルスの開始位置は記録マークの始端部分の方へ移動し、ファーストパルスのパルス幅は大きくなる。その結果、記録マークの開始位置が記録マークの始端部分の方へ移動し、記録マークは長くなる。一方、ファーストパルスの立ち上がり時間ｄＴｆｓが大きくなると、ファーストパルスの開始位置は記録マークの終端部分の方へ移動し、ファーストパルスのパルス幅は小さくなる。その結果、記録マークの開始位置が記録マークの終端部分の方へ移動し、記録マークは短くなる。
【０１４３】
また、ファーストパルスの立ち下がり時間ｄＴｆｅが小さくなると、ファーストパルスの終了位置は記録マークの終端部分の方へ移動し、ファーストパルスのパルス幅は大きくなる。その結果、記録マークの始端部分の熱量が大きくなる。一方、ファーストパルスの立ち下がり時間ｄＴｆｅが大きくなると、ファーストパルスの終了位置は記録マークの始端部分の方へ移動し、ファーストパルスのパルス幅は小さくなる。その結果、記録マークの始端部分の熱量が小さくなる。
【０１４４】
さらに、ラストパルスの立ち上がり時間ｄＴｌｓが小さくなると、ラストパルスの開始位置は記録マークの始端部分の方へ移動し、ラストパルスのパルス幅は大きくなる。その結果、記録マークの終端部分の熱量が大きくなる。一方、ラストパルスの立ち上がり時間ｄＴｌｓが大きくなると、ラストパルスの開始位置は記録マークの終端部分の方へ移動し、ラストパルスのパルス幅は小さくなる。その結果、記録マークの終端部分の熱量が小さくなる。
【０１４５】
また、ラストパルスの立ち下がり時間ｄＴｌｅが小さくなると、ラストパルスの終了位置は記録マークの終端部分の方へ移動し、ラストパルスのパルス幅は大きくなる。その結果、記録マークの終了位置が記録マークの終端部分の方へ移動し、記録マークは長くなる。一方、ラストパルスの立ち下がり時間ｄＴｌｅが小さくなると、ラストパルスの終了位置は記録マークの始端部分の方へ移動し、ラストパルスのパルス幅は小さくなる。その結果、記録マークの終了位置が記録マークの始端部分の方へ移動し、記録マークは短くなる。
【０１４６】
ここで、複数の記録パルスを用いて記録マークを形成する場合における記録条件テーブルを作成する場合について説明する。始めに、複数の記録パルスを用いて記録マークを形成する場合の、記録マークの終端部分を短くする方向に記録パルスを変化させると同時に、記録パワーを大きくする記録条件のテーブルを作成する。
【０１４７】
つぎに、本実施の形態１における記録条件設定方法のさらに他の一例について説明する。なお、図３のフローチャートにおいて、上述した処理と同等の部分は、説明を省略する。また、記録条件は、本記録条件設定方法では、ラストパルスの立ち下がり時間ｄＴｌｅを大きくする方に変化させ（複数の記録パルスのうち、最後の記録パルスの終了位置の時点を記録しようとする記録マークの始端の時点に近づけ）、かつ、ラストパルスの記録パワーＰｗｌを増加させる記録条件とする。
【０１４８】
まず、図３のＳ１０２で、マーク長条件Ｎを設定する。ここで、（１、７）ＲＬＬ（Run Length Limited code）の変調方式を用いた、図８に示す記録ストラテジの場合、マーク長条件Ｎを、複数の記録パルスを用いて形成する記録マークのうち、最短の記録マークである３Ｔを設定する。つまり、マーク長条件Ｎを３とする。
【０１４９】
ところで、複数の記録パルスを用いて記録マークを形成する場合も、単一の記録パルスを用いて記録マークを形成する場合と同様に、記録マーク長が短いほど、冷却パルスのパルス幅が設定可能な最大値が小さくなり、熱干渉の影響が大きくなる。
【０１５０】
したがって、マーク長条件Ｎを、複数の記録パルスを用いて形成する記録マークのうち、最短の記録マークである３Ｔとし、マーク長条件Ｎを３と設定することで、最も熱干渉の影響が大きい記録ストラテジを設定することができ、良好な再生信号品質を得ることができる。
【０１５１】
次に、図３のＳ１０３で、ラストパルスの立ち下がり時間ｄＴｌｅとラストパルスの記録パワーＰｗｌを組み合わせた記録条件テーブルを作成する。例えば、図４の記録条件テーブルの、記録パルスの立ち下がり時間ｄＴｅをラストパルスの立ち下がり時間ｄＴｌｅに置き換え、記録パルスの記録パワーＰｗをラストパルスの記録パワーＰｗｌに置き換えた、図９に示す条件ｃ１１〜ｃ３３の９通りの記録条件を有する記録条件テーブルを作成する。
【０１５２】
本記録条件設定方法によって、書き込み対象の記録マークの１つ後の記録マークに対する記録パルスの熱干渉の影響を受けずに、書き込み対象である記録マークの終端部分を、熱干渉の影響を少なくして形成することが可能である。また、良好な再生信号品質を得られる記録条件を見つけることができる。
【０１５３】
（複数の記録パルスを用いる場合１−２）
つぎに、本実施の形態１における記録条件設定方法のさらに他の一例として、他の記録条件テーブルを作成する場合について説明する。ここでは、複数の記録パルスを用いて記録マークを形成する場合の、記録マークの始端部分を短くする方向に記録パルスを変化させると同時に、記録パワーを大きくする記録条件のテーブルを作成する。
【０１５４】
ここで、本記録条件設定方法について説明する。なお、図３のフローチャートにおいて、上述した処理と同等の部分は、説明を省略する。また、記録条件は、本記録条件設定方法では、ファーストパルスの立ち上がり時間ｄＴｆｓを大きくする方に変化させ（複数の記録パルスのうち、最初の記録パルスの開始位置の時点を記録しようとする記録マークの終端の時点に近づけ）、かつ、記録パルスの記録パワーＰｗを増加させる記録条件とする。
【０１５５】
ここでは、図３のＳ１０３で、ファーストパルスの立ち上がり時間ｄＴｆｓとファーストパルスの記録パワーＰｗｆを組み合わせた記録条件テーブルを作成する。例えば、図４の記録条件テーブルの、記録パルスの立ち下がり時間ｄＴｅをファーストパルスの立ち上がり時間ｄＴｆｓに置き換え、記録パルスの記録パワーＰｗをファーストパルスの記録パワーＰｗｆに置き換えた、図１０に示す条件ｄ１１〜ｄ３３の９通りの記録条件を有する記録条件テーブルが作成される。
【０１５６】
本記録条件設定方法によって、書き込み対象の記録マークの１つ前の記録マークに対する記録パルスの熱干渉の影響を受けずに、書き込み対象である記録マークの始端部分を、熱干渉の影響を少なくして形成することが可能である。また、良好な再生信号品質を得られる記録条件を見つけることができる。
【０１５７】
〔実施の形態２〕
本発明の光ディスク装置１の他の実施の形態について図３〜５、９〜１５、及び２０に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１５８】
まず、図１１に基づいて、本実施の形態の光ディスク装置１における記録条件設定方法について説明する。図１１は、本実施の形態の光ディスク装置１における記録条件設定方法におけるフローチャートである。
【０１５９】
図１１に示すように、本記録条件設定方法におけるフローチャートは、図３のフローチャートのＳ１０２から続くものであり、図３のＳ１０４へと続くものである。また、前記実施の形態１のＳ１０３に相当するステップは本実施の形態においては、図１１に示すように、Ｓ２０１となっている。よって、Ｓ１０２までとＳ１０４からの説明は、上述の通りであるので省略する。
【０１６０】
ところで、前記実施の形態１では、熱干渉の影響を少なくして正しい位置に形成することができる十分な冷却パルス幅を設定している。一方、本実施の形態では、さらに記録ストラテジの他のパラメータを変化させて、さらに良好な再生信号品質を得られる記録条件を見つけることができるようになっている。
【０１６１】
（単一の記録パルスを用いる場合２−１）
つぎに、本実施の形態２における記録条件設定方法の一実施例について説明する。
【０１６２】
まず、図２０に示す単一の記録パルスからなる記録ストラテジを用いた場合の、記録条件設定方法について説明する。始めに、単一の記録パルスを用いて記録マークを形成する場合の、記録マークの終端部分を短くする方向に記録パルスを変化させると同時に、記録パワーを大きくする記録条件に加えて、更に記録パルスの別のパラメータを変化させる記録条件のテーブルを作成する。
【０１６３】
つぎに、本記録条件設定方法について説明する。なお、記録条件は、本記録条件設定方法では、記録パルスの立ち下がり時間ｄＴｅを大きくする方に変化させ（単一の記録パルスにおける終了位置の時点を、記録しようとする記録マークにおける始端の時点に近づけ）、かつ、記録パルスの記録パワーＰｗを増加させる記録条件に加えて、更に記録パルスの立ち上がり時間ｄＴｓ（記録パルスの開始位置の時点）を変化させる記録条件とする。
【０１６４】
すなわち、前記実施の形態１では、単一の記録パルスからなる記録ストラテジにおいて、記録パルスの立ち下がり時間ｄＴｅを大きくする方に変化させると同時に、記録パルスの記録パワーＰｗを大きくする方向へ変化させる記録条件テーブルを作成し、該記録条件テーブルに基づいて記録条件の設定を行った。
【０１６５】
しかし、本記実施の形態２では、さらに、記録パルスの立ち上がり時間ｄＴｓを変化させる記録条件を有する記録条件のテーブルを用いて記録条件の設定を行う点が上記実施例と異なる。本実施の形態では、２種類の記録条件のテーブルを作成し、各テーブルの記録条件を複合して用いる。
【０１６６】
ここで、図１１に基づいて、本記録条件設定方法におけるＳ２０１における記録条件テーブルの作成方法について説明する。まず、前記実施の形態１と同様に、記録パルスの立ち下がり時間ｄＴｅを大きくする方に変化させると同時に、記録パルスの記録パワーＰｗを大きくする方向へ変化させる第１の記録条件テーブルを作成する。例えば、図４に示す記録パルスの立ち下がり時間ｄＴｅと記録パルスの記録パワーＰｗを組み合わせた、条件ａ１１〜ａ３３の記録条件を有する記録条件テーブルを作成する。
【０１６７】
次に、記録パルスの立ち上がり時間ｄＴｓを変化させる第２の記録条件テーブルが作成される。図１２は、記録パルスの立ち上がり時間ｄＴｓを変化させる記録条件テーブルを作成するステップにおける第２の記録条件テーブルの例を示している。
【０１６８】
ここで、第１の記録条件テーブルの作成においては、マーク長条件Ｎの値が２なので、２Ｔの記録マークを形成するための記録ストラテジの各パラメータを用いる。さらに、第２の記録条件テーブルの作成においては、２Ｔの記録マークを形成するための記録ストラテジにおける各パラメータのうち、記録パルスの立ち上がり時間ｄＴｓの１種類のパラメータを用いる。
【０１６９】
図１１のＳ２０１で、記録パルスの立ち上がり時間ｄＴｓを、例えば、図３のＳ１０１で設定した規定値を中心として、該規定値の記録パルスのパルス幅より大きくならないような変化量である、−１ステップ〜＋１ステップで、１ステップ刻みで変化させる。つまり、例えば、図１２に示す条件ｅ１〜ｅ３の３通りの記録条件を有する記録条件のテーブルが作成される。
【０１７０】
すなわち、記録パワーＰｗを読み取った規定値より大きくする方向へ変化させるので、記録パルスの幅を、読み取った規定値の記録パルスの幅より大きくならないように設定する。
【０１７１】
ここで、図１１のＳ２０１において、図４及び図１２に示す記録条件テーブルが作成されているとき、Ｓ２０１では、第１の記録条件テーブル中の条件ａ１１〜ａ３３のそれぞれと、第２の記録条件テーブル中の条件ｅ１〜ｅ３とのそれぞれを組み合わせた、２７（９×３）通りの記録条件で、記録パターンが記録される。
【０１７２】
また、Ｓ２０１では、例えば、まずｅ１と、条件ａ１１〜ａ３３とのそれぞれを組み合わせた９通りの記録条件で記録パターンが記録され、次いで、条件ｅ２及びｅ３について、順次に、条件ａ１１〜ａ３３を組み合わせた各々９通りの記録条件で記録パターンが記録される。
【０１７３】
本記録条件設定方法によって、書き込み対象である記録マークの終端部分を、熱干渉の影響を少なくして形成することが可能であり、さらに記録マークの始端部分の調整を行うことで、より良好な再生信号品質を得られる記録条件を見つけることができる。
【０１７４】
（単一の記録パルスを用いる場合２−２）
つぎに、本実施の形態２における記録条件設定方法の他の一例として、他の記録条件テーブルを作成する場合について説明する。ここでは、単一の記録パルスを用いて記録マークを形成する場合の、記録マークの始端部分を短くする方向に記録パルスを変化させると同時に、記録パワーを大きくする記録条件に加えて、更に記録パルスの別のパラメータを変化させる記録条件のテーブルを作成する。
【０１７５】
ここで、本記録条件設定方法について説明する。なお、記録条件は、本記録条件設定方法では、記録パルスの立ち上がり時間ｄＴｓを大きくする方に変化させ（単一の記録パルスにおける開始位置の時点を、記録しようとする記録マークにおける終端の時点に近づけ）、かつ、記録パルスの記録パワーＰｗを増加させる記録条件に加えて、更に記録パルスの立ち下がり時間ｄＴｅを変化させる（記録パルスの終了位置の時点を変化させる）記録条件とする。
【０１７６】
すなわち、前記実施の形態１では、単一の記録パルスからなる記録ストラテジにおいて、記録パルスの立ち上がり時間ｄＴｓを大きくする方に変化させると同時に、記録パルスの記録パワーＰｗを大きくする方向へ変化させる記録条件テーブルを作成し、作成された該記録条件テーブルに基づいて記録条件の設定を行った。
【０１７７】
しかし、本記録条件設定方法では、さらに、記録パルスの立ち下がり時間ｄＴｅを変化させる記録条件を有する記録条件のテーブルを用いて記録条件の設定を行う点が上記実施の一形態１の場合と異なる。本記録条件設定方法では、２種類の記録条件のテーブルを作成し、各テーブルの記録条件を複合して用いる。
【０１７８】
まず、前記実施の形態１と同様に、記録パルスの立ち上がり時間ｄＴｓを大きくする方に変化させると同時に、記録パルスの記録パワーＰｗを大きくする方向へ変化させる第１の記録条件テーブルが作成される。例えば、図５に示す記録パルスの立ち上がり時間ｄＴｓと記録パルスの記録パワーＰｗとを組み合わせた、条件ｂ１１〜ｂ３３の記録条件を有する記録条件テーブルが作成される。
【０１７９】
次に、図１１のＳ２０１で、例えば、図１３に示すように、記録パルスの立ち下がり時間ｄＴｅを変化させる条件ｆ１〜ｆ３の３通りの記録条件を有する第２の記録条件テーブルが作成される。
【０１８０】
図３のＳ１０４では、第１の記録条件テーブル内の条件ｂ１１〜ｂ３３の９通りの記録条件と、第２の記録条件テーブル内の条件ｆ１〜ｆ３の３通りの記録条件との、それぞれの条件を組み合わせた２７（９×３）通りの記録条件で記録される。
【０１８１】
本記録条件設定方法によって、書き込み対象である記録マークの始端部分を、熱干渉の影響を少なくして形成することが可能であり、さらに記録マークの終端部分の調整を行うことで、より良好な再生信号品質を得られる記録条件を見つけることができる。
【０１８２】
（複数の記録パルスを用いる場合２−１）
つぎに、本実施の形態２における記録条件設定方法のさらに他の一例として、図８に示す複数の記録パルスからなる記録ストラテジを用いた場合の、記録条件設定方法について説明する。
【０１８３】
始めに、複数の記録パルスを用いて記録マークを形成する場合の、記録マークの終端部分を短くする方向に記録パルスを変化させると同時に、記録パワーを大きくする記録条件に加えて、更に記録パルスの別のパラメータを変化させる記録条件のテーブルを作成する。
【０１８４】
ここで、本記録条件設定方法について説明する。なお、記録条件は、本記録条件設定方法では、ラストパルスの立ち下がり時間ｄＴｌｅを大きくする方に変化させ（最後の記録パルスの終了位置の時点を記録しようとする記録マークの始端の時点に近づけ）、かつ、ラストパルスの記録パワーＰｗｌを増加させる記録条件に加えて、更にラストパルスの立ち上がり時間ｄＴｌｓを変化させる（最後の記録パルスの開始位置の時点を変化させる）記録条件とする。
【０１８５】
すなわち、前記実施の形態１では、複数の記録パルスからなる記録ストラテジにおいて、ラストパルスの立ち下がり時間ｄＴｌｅを大きくする方に変化させると同時に、ラストパルスの記録パワーＰｗｌを大きくする方向へ変化させる記録条件テーブルを作成し、作成された該記録条件テーブルに基づいて記録条件の設定を行った。
【０１８６】
しかし、本記録条件設定方法では、さらにラストパルスの立ち上がり時間ｄＴｌｓを変化させる記録条件を有する記録条件のテーブルを用いて記録条件の設定を行う点が実施の形態１の場合と異なる。本記録条件設定方法では、２種類の記録条件のテーブルを作成し、各テーブルの記録条件を複合して用いる。
【０１８７】
まず、前記実施の形態１と同様に、ラストパルスの立ち下がり時間ｄＴｌｅを大きくする方に変化させると同時に、ラストパルスの記録パワーＰｗｌを大きくする方向へ変化させる記録条件テーブルを作成するステップによって、例えば、図９に示すラストパルスの立ち下がり時間ｄＴｌｅとラストパルスの記録パワーＰｗｌを組み合わせた、条件ｃ１１〜ｃ３３の記録条件を有する第１の記録条件テーブルが作成される。
【０１８８】
次に、図１１のＳ２０１で、例えば、図１４に示す、ラストパルスの立ち上がり時間ｄＴｌｓを変化させる条件ｇ１〜ｇ３の３通りの記録条件を有する第２の記録条件テーブルが作成される。
【０１８９】
すなわち、Ｓ２０１で、ラストパルスの立ち上がり時間ｄＴｌｓを、例えば、Ｓ１０１で設定した規定値を中心として、該規定値のラストパルスの幅より大きくならないような変化量である、−１ステップ〜＋１ステップで、１ステップ刻みで変化させる。また、ラストパルスの記録パワーＰｗｌをＳ１０１で読み取った規定値より大きくする方向へ変化させるので、ラストパルスの幅を、図３のＳ１０１で設定した規定値のラストパルスの幅より大きくならないように設定する。
【０１９０】
Ｓ１０４では、第１の記録条件テーブル内の条件ｃ１１〜ｃ３３の９通りの記録条件と、第２の記録条件テーブル内の条件ｇ１〜ｇ３の３通りの記録条件との、それぞれの条件を組み合わせた２７（９×３）通りの記録条件で記録される。
【０１９１】
本記録条件設定方法によって、書き込み対象である記録マークの終端部分を、熱干渉の影響を少なくして形成することが可能になる。さらにラストパルスの立ち上がり時間ｄＴｌｓを変化させることで、記録マークの終端部分を、ラストパルスの立ち下がり時間ｄＴｌｅの設定可能な最小値以下で微調整することができ、より良好な再生信号品質を得られる記録条件を見つけることができる。
【０１９２】
（複数の記録パルスを用いる場合２−２）
つぎに、本実施の形態２における記録条件設定方法のさらに他の一例として、他の記録条件テーブルを作成した場合について説明する。ここでは、複数の記録パルスを用いて記録マークを形成する場合の、記録マークの始端部分を短くする方向に記録パルスを変化させると同時に、記録パワーを大きくする記録条件に加えて、更に記録パルスの別のパラメータを変化させる記録条件のテーブルを作成する。
【０１９３】
ここで、本実施例の記録条件設定方法について説明する。なお、記録条件は、本実施例では、ファーストパルスの立ち下がり時間ｄＴｆｅを大きくする方に変化させ（最初の記録パルスの開始位置の時点を記録しようとする記録マークの終端の時点に近づけ）、かつ、ファーストパルスの記録パワーＰｗｆを増加させる記録条件に加えて、更にファーストパルスの立ち下がり時間ｄＴｌｅを変化させる（最初の記録パルスの終了位置の時点を変化させる）記録条件とする。
【０１９４】
すなわち、前記実施の形態１では、複数の記録パルスからなる記録ストラテジにおいて、ファーストパルスの立ち上がり時間ｄＴｆｓを大きくする方に変化させると同時に、ファーストパルスの記録パワーＰｗｆを大きくする方向へ変化させる記録条件テーブルを作成するステップによって作成された記録条件テーブルに基づいて記録条件の設定を行った。
【０１９５】
しかし、本実施の形態２では、さらにファーストパルスの立ち下がり時間ｄＴｆｅを変化させる記録条件を有する記録条件のテーブルを用いて記録条件の設定を行う点が実施の形態１の場合と異なる。本実施の形態２では、２種類の記録条件のテーブルを作成し、各テーブルの記録条件を複合して用いる。
【０１９６】
まず、前記実施の形態１と同様に、ファーストパルスの立ち上がり時間ｄＴｆｓを大きくする方に変化させると同時に、ファーストパルスの記録パワーＰｗｆを大きくする方向へ変化させる記録条件テーブルを作成するステップによって、例えば、図１０に示すファーストパルスの立ち下がり時間ｄＴｆｓとファーストパルスの記録パワーＰｗｆを組み合わせた、条件ｄ１１〜ｄ３３の記録条件を有する第１の記録条件テーブルが作成される。
【０１９７】
次に、図１１のＳ２０１で、例えば、図１５に示す、ファーストパルスの立ち下がり時間ｄＴｆｅを変化させる条件ｈ１〜ｈ３の３通りの記録条件を有する第２の記録条件テーブルが作成される。
【０１９８】
すなわち、図１１のＳ２０１で、ファーストパルスの立ち下がり時間ｄＴｆｅを、例えば、Ｓ１０１で設定した規定値を中心として、該規定値のファーストパルスの幅より大きくならないような変化量である、−１ステップ〜＋１ステップで、１ステップ刻みで変化させる。
【０１９９】
また、ファーストパルスの記録パワーＰｗｆを図３のＳ１０１で設定した規定値より大きくする方向へ変化させるので、ファーストパルスの幅を、上記規定値のファーストパルスの幅より大きくならないように設定する。
【０２００】
図３のＳ１０４では、第１の記録条件テーブル内の条件ｄ１１〜ｄ３３の９通りの記録条件と、第２の記録条件テーブル内の条件ｈ１〜ｈ３の３通りの記録条件との、それぞれの条件を組み合わせた２７（９×３）通りの記録条件で記録される。
【０２０１】
本記録条件設定方法によって、以下に示す効果が得られる。上記ファーストパルスの立ち上がり時間ｄＴｆｓを大きくする方に変化させると同時に、ファーストパルスの記録パワーＰｗｆを大きくする方向へ変化させる記録条件を有した記録条件のテーブルに基づいて記録条件を設定することで、書き込み対象である記録マークの始端部分を、熱干渉の影響を少なくして形成することが可能になる。
【０２０２】
さらにファーストパルスの立ち下がり時間ｄＴｆｅを変化させることで、記録マークの終端部分を、ファーストパルスの立ち上がり時間ｄＴｆｓの設定可能な最小値以下で微調整することができ、より良好な再生信号品質を得られる記録条件を見つけることができる。
【０２０３】
〔実施の形態３〕
本発明のさらに他の実施の形態について図３、９、１０、及び１６に基づいて説明すれば、以下の通りである。なお、本実施の形態において説明すること以外の構成は、前記実施の形態１又は２と同じである。また、説明の便宜上、前記の実施の形態１又は２の図面に示した部材と同一の機能を有する部材については、同一の符号を付し、その説明を省略する。
【０２０４】
図１６に示すように、本実施の形態におけるフローチャートは、図３のフローチャートのＳ１０２から続くものであり、図３のＳ１０４へと続くものである。また、前記実施の形態１の図３におけるＳ１０３に相当するステップは本実施の形態においては、図１６のＳ３０１となっている。よって、Ｓ１０２までとＳ１０４からの説明は、上述したとおりであるので省略する。
【０２０５】
本実施の形態３では、単一の記録パルスからなる記録ストラテジを用いた場合、書き込み対象である記録マークの始端部分と終端部分との両方において、熱干渉の影響を少なくして形成することが可能であり、良好な再生信号品質を得られる記録条件を見つけることができる点が上記実施の形態１及び２の場合と異なる。
【０２０６】
すなわち、前後の冷却パルス幅が短い場合、記録マークの始端部分および終端部分の両方とも、熱干渉の影響を受けて、正しい位置で記録マークを形成することができない。そこで、本実施の形態では、記録マークの始端部分および終端部分の両方とも、熱干渉の影響を少なくするように、記録条件の変更を行い、良好な再生信号品質が得ることができる。
【０２０７】
（記録マークの両端を短くする場合）
つぎに、本実施の形態３における記録条件設定方法の一例について、図１６のフローチャートに基づいて説明する。記録条件設定方法では、記録マークの始端部分かつ終端部分を短くする方向に記録パルスを変化させると同時に、記録パワーを大きくする記録条件のテーブルを作成する。本記録条件設定方法は、こうして作成された記録条件テーブルに基づくものである。
【０２０８】
ここで、本記録条件設定方法について説明する。なお、記録条件は、本記録条件設定方法では、ラストパルスの立ち下がり時間ｄＴｌｅを大きくする方に、かつファーストパルスの立ち上がり時間ｄＴｆｓを大きくする方に変化させ（複数の記録パルスのうち、最後の記録パルスの終了位置の時点を記録しようとする記録マークの始端の時点に近づけ、かつ、最初の記録パルスの開始位置の時点を記録しようとする記録マークの終端の時点に近づけ）、かつ、ファーストパルスの記録パワーＰｗｆとラストパルスの記録パワーＰｗｌを増加させる記録条件とする。
【０２０９】
つぎに、図１６のＳ３０１における記録条件テーブルの作成方法について説明する。Ｓ３０１において、記録条件テーブルを作成するが、ファーストパルスの記録条件テーブルとラストパルスの記録条件テーブルとは独立して作成することができる。
【０２１０】
したがって、本記録条件設定方法では、前記実施の形態１のように、例えば、図９のラストパルスに関する条件ｃ１１〜ｃ３３の９通りの記録条件を有する第１の記録条件テーブルと、図１０のファーストパルスに関する条件ｄ１１〜ｄ３３の９通りの記録条件を有する第２の記録条件テーブルとが用いられる。図３のＳ１０４では、２種類の記録条件テーブル内の条件を組み合わせた８１（９×９）通りの記録条件で記録される。
【０２１１】
本記録条件設定方法によって、書き込み対象である記録マークの始端部分と終端部分との両方において、熱干渉の影響を少なくすることが可能である。また、良好な再生信号品質を得られる記録条件を見つけることができる。
【０２１２】
〔実施の形態４〕
本発明のさらに他の実施の形態について図１、３、１７、及び２５に基づいて説明すれば、以下の通りである。なお、本実施の形態において説明すること以外の構成は、前記実施の形態１〜３と同じである。また、説明の便宜上、前記の実施の形態１〜３の図面に示した部材と同一の機能を有する部材については、同一の符号を付し、その説明を省略する。
【０２１３】
前記実施の形態１〜３では、単一の記録パルスを用いて形成する記録マークのうち、最短の記録マークである２Ｔをマーク長条件として設定した。しかし、最短の記録マークの記録ストラテジを設定しても、まだ熱干渉の影響が残っている場合がある。
【０２１４】
また、複数の記録パルスを用いる場合では、複数の記録パルスを用いて形成する記録マークのうち、最短の記録マークである３Ｔをマーク長条件として設定した。しかし、まだ熱干渉の影響が残っている場合がある。
【０２１５】
そこで、本実施の形態４における記録条件設定方法では、記録マーク長が短いほうから、記録条件を見つけていき、所定の性能を満たす記録条件を見つけた場合、記録条件を設定する処理を行う。
【０２１６】
すなわち、従来の問題点に関して、図２５で説明したように、書き込み対象である記録マーク長が短いほど、記録マーク長に対する記録パルスの長さが大きくなり、書き込み対象である記録マークのための記録パルスの前後の冷却パルス幅の、設定可能な最大値が小さくなる。
【０２１７】
つまり、書き込み対象である記録マーク長が短いほど、前後の冷却パルス幅の設定可能な最大値が小さくなり、熱干渉の影響を受けやすい。よって、記録マークが短いほうから記録条件を設定することによって、熱干渉の影響を受けやすい順番で、つまり再生信号品質が影響を受けやすい順番で、記録条件を設定することができる。
【０２１８】
また、所定の記録パターンを、記録条件テーブルの全ての組み合わせを用いて記録する前に、所定の性能を満たす記録条件を見つけることができるため、前記実施の形態１から３に示す例に比べて、記録条件の設定に要する時間を短縮できる。
【０２１９】
さらに、光ディスクの情報記録面上に記録する所定の記録パターンの数を減らすことができるため、光ディスク上の所定の記録パターンを記録するエリアをあまり大きくする必要がない点が上記実施例と異なる。
【０２２０】
（所定の性能を満たす記録条件を見つける場合）
つぎに、本実施の形態４における記録条件設定方法の一例について、図１７のフローチャートに基づいて説明する。なお、このフローチャートは、前記実施の形態１〜３のいずれかにおける図３のＳ１０６に続くものであり、図３のＳ１０６までの説明は上述したとおりであるので、省略する。
【０２２１】
まず、図１７のＳ４０１で、図３のＳ１０６において得られた再生信号品質の指標値が、所定値より良好な結果であるかどうかの判断を行う。具体的には、図１において、あらかじめ、再生信号品質の指標値の所定値を格納部３に格納しておく。それから、記録条件選択部２７が、上記所定値を読み出して、該所定値と図３のＳ１０６において得られた再生信号品質の指標値との比較を行う構成とすればよい。
【０２２２】
つぎに、所定値より良好な結果である場合は、図１７に示すように、Ｓ４０２に進み、記録条件として設定する。具体的には、図１において、記録条件選択部２７が上記所定値を読み出して、図３のＳ１０６において得られた再生信号品質の指標値が上記所定値よりも良好な結果である場合には、上記指標値を選択し、図１の格納部３の記憶部３２に記憶させる構成とすれば良い。
【０２２３】
一方、良好な結果が得られていない場合には、図１７に示すように、Ｓ４０３に進む。Ｓ４０３では、記録条件テーブル内の記録条件の全てについて実施されたかどうか判断する。具体的には、図１の記録条件読み出し部２５が、上記所定値よりも良好な指標値を得る前に、記録条件テーブル内の記録条件のすべての読み出しが終了した場合にはマーク長条件設定部２３に通知し、該通知を受けたマーク長条件設定部２３が値Ｎを変更するように構成すれば良い。
【０２２４】
次に、図１７のＳ４０３において、記録条件テーブル内の条件の全てについて実施されていない場合には、Ｓ４０４に進む。Ｓ４０４では、記録条件テーブル内の実施されていない記録条件に変更する。具体的には、図１の記録条件読み出し部２５が、上記所定値よりも良好な指標値を得る前であり、かつ、記録条件テーブル内の記録条件のすべての読み出しが終了していない場合には、記録条件の読み出しを続行する構成とすれば良い。
【０２２５】
さらに、図１７のＳ４０４で記録条件を変更した後、図３のＳ１０４へ戻り、記録を行う。具体的には、上記実施の形態１と同様の構成であるので、説明は省略する。
【０２２６】
一方、図１７のＳ４０３にて、記録条件テーブル内の条件が全て実施されている場合は、Ｓ４０５に進む。Ｓ４０５では、マーク長が最大であるかどうかを判断する。
具体的には、図１の記録条件読み出し部２５が、マーク長が最大であるかどうかを判断する構成とすれば良い。
【０２２７】
次に、図１７のＳ４０５において、マーク長が最大である場合は、全てのマーク長に対して記録条件を設定しても、良好な再生信号品質が得られなかったため、失敗を示すエラー表示などを行い、処理を終了する。具体的には、図１の記録条件読み出し部２５が、マーク長が最大であると判断した場合に、制御部２０が、失敗を示すエラー表示などをディスプレイ表示させる構成とすれば良い。
【０２２８】
一方、マーク長が最大でない場合は、図１７のＳ４０６に進む。Ｓ４０６では、マーク長条件ＮをＮ＋１として、マーク長条件を変更する。具体的には、図１の記録条件読み出し部２５が、マーク長が最大でないと判断した場合に、マーク長条件設定部２３に通知し、該通知を受けたマーク長条件設定部２３が、マーク長条件ＮをＮ＋１とする構成とすれば良い。
【０２２９】
この結果、記録条件テーブルの全ての組み合わせを用いて最良条件を選択する場合と比べて、効率よく、所定の性能を満たす記録条件を見つけることができるため、記録条件の設定に要する時間を短縮できる。
【０２３０】
また、記録条件を設定するために光ディスク上に記録する所定記録パターン数を減らすことができるため、記録媒体上の所定記録パターンを記録するエリアを小さくすることができる。
【０２３１】
〔実施の形態５〕
本発明のさらに他の実施の形態について図１、１７〜１９に基づいて説明すれば、以下の通りである。なお、本実施の形態において説明すること以外の構成は、前記実施の形態１〜４と同じである。また、説明の便宜上、前記の実施の形態１〜４の図面に示した部材と同一の機能を有する部材については、同一の符号を付し、その説明を省略する。
【０２３２】
本実施の形態５における記録条件設定方法では、記録マーク長が短いほうから記録条件を見つけていき、所定の条件を満たす記録条件を見つけた場合、前記記録条件を設定する処理を行う。
【０２３３】
さらに、最良記録条件選択手段にて選択された記録条件で得られる再生信号品質が、最良記録条件保存手段に保存された記録条件で得られる再生信号品質より改善されなかった場合、記録条件を選択する処理を終了する処理を行う。
【０２３４】
ところで、前記実施の形態４では、記録マークが短いほうから記録条件を設定することによって、熱干渉の影響を受けやすい順番で、つまり再生信号品質が影響を受けやすい順番で、記録条件を設定している。
【０２３５】
ここで、マーク長条件Ｎにおいて最良記録条件選択手段で選択された記録条件で得られる再生信号品質が、マーク長条件Ｎ−１において最良記録条件保存手段に保存された記録条件で得られる再生信号品質より改善されなかった場合、マーク長条件Ｎにおける冷却パルスのパルス幅が十分に確保できており、Ｎより大きいマーク長条件でも、冷却パルスのパルス幅が十分に確保されると考えることができる。
【０２３６】
よって、本実施の形態５において、マーク長条件Ｎにおいて最良記録条件選択手段にて選択された記録条件で得られる再生信号品質が、マーク長条件Ｎ−１において最良記録条件保存手段に保存された記録条件で得られる再生信号品質に比べて、改善されなかった場合、失敗を示すエラー表示などを行い、処理を終了することで、所定の性能を満たす記録条件が記録条件テーブル内に存在するかどうかの判定を行うことができる。
【０２３７】
所定の性能を満たす記録条件が存在しない場合でも記録条件のテーブル内の記録条件を記録する場合に比べて、早く判定を行い、光ディスクのおけるトラックを変更し再度記録条件の設定を行ったり、エラー表示をすることで、光ディスク上に記録する所定記録パターン数を減らすことができる。
【０２３８】
ここで、マーク長条件について説明する。例えば、現在３Ｔマークに対する記録ストラテジの記録条件の設定を行っている場合、設定されているマーク長条件Ｎは３である。よって、マーク長条件Ｎにおいて最良記録条件選択手段にて選択された記録条件は、３Ｔマークに対する記録ストラテジの記録条件のテーブル内で最もよい再生信号品質が得られる記録条件のことを指している。また、マーク長条件Ｎ−１は２となる。
【０２３９】
したがって、マーク長条件Ｎ−１において最良記録条件保存手段に保存された記録条件は、２Ｔマークに対する記録ストラテジの記録条件のテーブル内で最もよい再生信号品質が得られる記録条件のことを指している。
【０２４０】
（最良記録条件を保存しておく場合）
つぎに、本実施の形態５における記録条件設定方法の一例について、図１８のフローチャートに基づいて説明する。なお、このフローチャートは、前記実施の形態４における図１７のフローチャートのＳ４０３で、記録条件テーブル内の条件が全て実施されている場合に続くものであり、Ｓ４０３までの説明は上述したとおりであるので、省略する。
【０２４１】
まず、図１８のＳ５０１では、図１７のＳ４０３において、記録条件テーブル内のすべての記録条件についての実施が終了している場合には、設定されているマーク長条件Ｎにおける記録条件テーブル内の条件のうち、最も良好な再生信号品質の指標値が得られる記録条件を選択する。具体的には、図１の記録条件選択部２７が、記録条件テーブル内のすべての記録条件についての実施が終了している場合には、設定されているマーク長条件Ｎにおける記録条件テーブル内の条件のうち、最も良好な再生信号品質の指標値が得られる記録条件を選択するよう構成すれば良い。
【０２４２】
次に、図１８のＳ５０２に進み、設定されているマーク長条件Ｎにおいて、Ｓ５０１で選択された最良の記録条件の再生信号品質の指標値が、保存されているマーク長条件Ｎ−１における最良の記録条件の再生信号品質の指標値と比べて、改善されているかどうかを判断する。具体的には、まず、図１の格納部３が上記マーク長条件Ｎ−１における最良の記録条件を保存する構成とする。つぎに、図１の記録条件選択部２７が、設定されているマーク長条件Ｎにおいて、図１８のＳ５０１で選択された最良の記録条件の再生信号品質の指標値が、保存されているマーク長条件Ｎ−１における最良の記録条件の再生信号品質の指標値と比べて、改善されているかどうかを判断するように構成すれば良い。
【０２４３】
ここで、指標値が改善されている場合、図１８のＳ５０３に進む。Ｓ５０３では、Ｓ５０１で選択した最良条件を保存する。その後、図１７のＳ４０５に進み、マーク長条件が終了であるかどうかを判断する。具体的には、図１の記録条件選択部２７が、図１８のＳ５０１で選択された最良の記録条件の再生信号品質の指標値が、格納部３に保存されているマーク長条件Ｎ−１における最良の記録条件の再生信号品質の指標値と比べて、改善されていると判断した場合には、選択した最良条件を格納部３に保存する構成とすれば良い。
【０２４４】
一方、指標値が、改善されていない場合、処理を終了する。具体的には、図１の記録条件読み出し部２５が、図１８のＳ５０１で選択された最良の記録条件の再生信号品質の指標値が、格納部３に保存されているマーク長条件Ｎ−１における最良の記録条件の再生信号品質の指標値と比べて、改善されていないと判断した場合に、処理を終了し、図２の制御部２０が、失敗を示すエラー表示などをディスプレイ表示させる構成とすれば良い。なお、処理の終了では、エラー表示を行って処理を終了してもよいし、光ディスクにおけるトラックを変更して、再度記録条件の設定を開始してもよい。
【０２４５】
この結果、マーク長条件を変更して記録条件を設定する場合と比べて、冷却パルスのパルス幅が十分に確保できている場合、失敗を示すエラー表示などを行い、処理を終了するので、効率よく、所定の条件を満たす記録条件が記録条件テーブル内に存在するかどうかの判定を行うことができる。
【０２４６】
なお、本記録条件設定方法におけるマーク長条件は、記録条件を設定するマーク長であるが、前のスペース長とそれに続くマーク長の組み合わせや、マーク長とそれに続くスペース長の組み合わせなどで、記録条件を設定することも可能である。例えば、前のスペース長Ｌｓとそれに続くマーク長Ｌｍとの組み合わせで、記録条件を設定することが可能な場合、図１７のフローチャートのＳ４０６におけるマーク長条件の変更の際に、後に続くマーク長より前のスペース長を優先して増加するようにする。
【０２４７】
図１９に示すように、まず、マーク長Ｌｍの条件ｊ１と前のスペース長Ｌｓの条件ｉ１〜ｉ７との組み合わせにおいて、条件ｉ１から順番に条件ｉ７まで条件ｊ１との組み合わせで、順番に記録条件の設定を行う。次に条件ｊ２、ｊ３、・・・、ｊ７という順番で、条件ｉ１〜ｉ７と組み合わせるという構成とすれば良い。具体的には、図１のマーク長条件設定部２３が、マーク長条件だけでなく、スペース長条件も設定できる構成とすれば良い。
【０２４８】
なお、上述した本実施の形態は本発明の範囲を限定するものではなく、本発明の範囲内で種々の変更が可能である。例えば、記録条件の設定は、各トラックにおいて少なくとも１回行うことが好ましいが、必ずしも全てのトラックで行う必要はなく、複数トラックごとであってもよい。
【０２４９】
最後に、図２の光ディスク装置１の各ブロック、特に制御部２０は、ハードウェアロジックによって構成してもよいし、次のようにＣＰＵを用いてソフトウェアによって実現してもよい。
【０２５０】
すなわち、光ディスク装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、上記光ディスク装置１に供給し、そのコンピュータ（またはＣＰＵやＭＰＵ）が記録媒体に記録されているプログラムコードを読み出し実行することによっても、達成可能である。
【０２５１】
上記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオディスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５２】
また、光ディスク装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２５３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【産業上の利用可能性】
【０２５４】
本発明は、記録マークを良好に形成するための記録条件の設定に関する情報記録再生装置、記録条件設定方法、制御プログラム、及びコンピュータ読み取り可能な記録媒体に適用することができる。特に光学回折の限界近傍の記録マークを含む複数の記録マークを良好に形成するための記録条件の設定に関する情報記録再生装置、記録条件設定方法、制御プログラム、及びコンピュータ読み取り可能な記録媒体に広く適用することができる。
【図面の簡単な説明】
【０２５５】
【図１】本発明における情報記録再生装置の実施の一形態を示すブロック図である。
【図２】本発明における情報記録再生装置の実施の一形態を示すブロック図である。
【図３】上記情報記録再生装置における、記録条件設定方法の処理の流れを示すフローチャート図である。
【図４】上記情報記録再生装置における記録条件テーブルの一例を示す図である。
【図５】上記情報記録再生装置における記録条件テーブルの一例を示す図である。
【図６】上記情報記録再生装置における指標値・記録条件テーブルの一例を示す図である。
【図７】上記情報記録再生装置における複数の記録パルスで構成された一般的なレーザ出力波形の一例を示す波形図である。
【図８】上記情報記録再生装置における複数の記録パルスで構成された一般的なレーザ出力波形の複数の例を示す波形図である。
【図９】上記情報記録再生装置における記録条件テーブルの一例を示す図である。
【図１０】上記情報記録再生装置における記録条件テーブルの一例を示す図である。
【図１１】本発明における情報記録再生装置の他の実施形態における記録条件設定方法の処理の流れを示すフローチャート図である。
【図１２】上記情報記録再生装置における記録条件テーブルの一例を示す図である。
【図１３】上記情報記録再生装置における記録条件テーブルの一例を示す図である。
【図１４】上記情報記録再生装置における記録条件テーブルの一例を示す図である。
【図１５】上記情報記録再生装置における記録条件テーブルの一例を示す図である。
【図１６】本発明における情報記録再生装置のさらに他の実施形態における記録条件設定方法の処理の流れを示すフローチャート図である。
【図１７】本発明における情報記録再生装置のさらに他の実施形態における記録条件設定方法の処理の流れを示すフローチャート図である。
【図１８】本発明における情報記録再生装置のさらに他の実施形態における記録条件設定方法の処理の流れを示すフローチャートである。
【図１９】上記情報記録再生装置におけるマーク長条件の一覧を示す図である。
【図２０】従来の光ディスク装置における単一の記録パルスで構成された一般的なレーザ出力波形の一例を示す波形図である。
【図２１】従来の光ディスク装置における単一の記録パルスで構成された一般的なレーザ出力波形の一例を示す波形図である。
【図２２】従来の光ディスク装置における問題点を説明するための概念図である。
【図２３】従来の光ディスク装置における問題点を説明するための概念図である。
【図２４】従来の光ディスク装置における問題点を説明するための概念図である。
【図２５】従来の光ディスク装置における問題点を説明するための概念図である。
【符号の説明】
【０２５６】
１  光ディスク装置（情報記録再生装置）
２  光ディスク
３  格納部（記録条件保存手段）
４  条件変更手段
１２  ピックアップ
１３  ピックアップ駆動回路
１４  レーザ駆動回路
１５  再生回路
２０  制御部
２１  記録条件設定部（記録条件設定手段）
２２  記録指令部
２３  マーク長条件設定部（マーク長条件設定手段）
２４  記録条件テーブル作成部（記録条件テーブル作成手段）
２５  記録条件読み出し部（記録条件読み出し手段）
２６  再生指令部
２７  記録条件選択部（記録条件選択手段）
２８  再生信号品質計測部（再生信号品質計測手段）
３１  一時記憶部
３２  記憶部
【図１】
2008034042.tif 000003
【図２】
2008034042.tif 000004
【図３】
2008034042.tif 000005
【図４】
2008034042.tif 000006
【図５】
2008034042.tif 000007
【図６】
2008034042.tif 000008
【図７】
2008034042.tif 000009
【図８】
2008034042.tif 000010
【図９】
2008034042.tif 000011
【図１０】
2008034042.tif 000012
【図１１】
2008034042.tif 000013
【図１２】
2008034042.tif 000014
【図１３】
2008034042.tif 000015
【図１４】
2008034042.tif 000016
【図１５】
2008034042.tif 000017
【図１６】
2008034042.tif 000018
【図１７】
2008034042.tif 000019
【図１８】
2008034042.tif 000020
【図１９】
2008034042.tif 000021
【図２０】
2008034042.tif 000022
【図２１】
2008034042.tif 000023
【図２２】
2008034042.tif 000024
【図２３】
2008034042.tif 000025
【図２４】
2008034042.tif 000026
【図２５】
2008034042.tif 000027